(57)【要約】【課題】プロトコル処理の複雑さを軽減し、効率的に通信を行うことができる端末装置、基地局装置、方法、および集積回路に関する技術を提供すること。【解決手段】端末装置であって、基地局装置からＲＲＣコネクションの再設定に関するメッセージを受信する受信部と、前記ＲＲＣコネクションの再設定に関するメッセージに、フル設定を適応する事を示す情報が含まれている事に基づいて、フル設定における処理を行い、前記フル設定における処理において、前記ＲＲＣコネクションの再設定に関するメッセージに含まれる、ＳＲＢ設定に含まれるＳＲＢ識別子に対応するＳＲＢに対し、ＮＲ  ＰＤＣＰエンティティが存在しない事に基づいて、ＮＲ  ＰＤＣＰエンティティを確立する処理部と、を有する。【選択図】図１０
2020156028.tif 000002
【特許請求の範囲】
【請求項１】
基地局装置と通信する端末装置であって、
前記基地局装置からＲＲＣコネクションの再設定に関するメッセージを受信する受信部と、
前記ＲＲＣコネクションの再設定に関するメッセージに、フル設定を適応する事を示す情報が含まれている事に基づいて、
フル設定における処理を行い、
前記フル設定における処理において、
前記ＲＲＣコネクションの再設定に関するメッセージに含まれる、ＳＲＢ設定に含まれるＳＲＢ識別子に対応するＳＲＢに対し、ＮＲ  ＰＤＣＰエンティティが存在しない事に基づいて、
ＮＲ  ＰＤＣＰエンティティを確立する処理部と、を有する、
端末装置。
【請求項２】
端末装置と通信する基地局装置であって、
前記基地局装置からＲＲＣコネクションの再設定に関するメッセージを送信する受信部と、
前記ＲＲＣコネクションの再設定に関するメッセージに、フル設定を適応する事を示す情報が含まれている事に基づいて、
前記端末装置にフル設定における処理を行わせ、
前記フル設定における処理において、
前記ＲＲＣコネクションの再設定に関するメッセージに含まれる、ＳＲＢ設定に含まれるＳＲＢ識別子に対応するＳＲＢに対し、ＮＲ  ＰＤＣＰエンティティが存在しない事に基づいて、
ＮＲ  ＰＤＣＰエンティティを確立させる処理部と、を有する、
基地局装置。
【請求項３】
基地局装置と通信する端末装置の方法であって、
前記基地局装置からＲＲＣコネクションの再設定に関するメッセージを受信し、
前記ＲＲＣコネクションの再設定に関するメッセージに、フル設定を適応する事を示す情報が含まれている事に基づいて、
フル設定における処理を行い、
前記フル設定における処理において、
前記ＲＲＣコネクションの再設定に関するメッセージに含まれる、ＳＲＢ設定に含まれるＳＲＢ識別子に対応するＳＲＢに対し、ＮＲ  ＰＤＣＰエンティティが存在しない事に基づいて、
ＮＲ  ＰＤＣＰエンティティを確立する、
方法。
【請求項４】
端末装置と通信する基地局装置であって、
前記基地局装置からＲＲＣコネクションの再設定に関するメッセージを送信し、
前記ＲＲＣコネクションの再設定に関するメッセージに、フル設定を適応する事を示す情報が含まれている事に基づいて、
前記端末装置にフル設定における処理を行わせ、
前記フル設定における処理において、
前記ＲＲＣコネクションの再設定に関するメッセージに含まれる、ＳＲＢ設定に含まれるＳＲＢ識別子に対応するＳＲＢに対し、ＮＲ  ＰＤＣＰエンティティが存在しない事に基づいて、
ＮＲ  ＰＤＣＰエンティティを確立させる、
方法。
【発明の詳細な説明】
【技術分野】
【０００１】
本発明は、端末装置、基地局装置、方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）、及びコアネットワーク（以下、「Ｅｖｏｌｖｅｄ  Ｐａｃｋｅｔ  Ｃｏｒｅ：ＥＰＣ」）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。また第５世代セルラーシステムに向けたコアネットワークである、５ＧＣ（５  Ｇｅｎｅｒａｔｉｏｎ  Ｃｏｒｅ  Ｎｅｔｗｏｒｋ）の検討も行われている（非特許文献２）。
【先行技術文献】
【非特許文献】
【０００４】
【非特許文献１】３ＧＰＰ  ＲＰ−１７０８５５，”Ｗｏｒｋ  Ｉｔｅｍ  ｏｎ  Ｎｅｗ  Ｒａｄｉｏ  （ＮＲ）  Ａｃｃｅｓｓ Ｔｅｃｈｎｏｌｏｇｙ”
【非特許文献２】３ＧＰＰ  ＴＳ  ２３．５０１  ｖ１５．３．０,“Ｓｙｓｔｅｍ  Ａｒｃｈｉｔｅｃｔｕｒｅ  ｆｏｒ  ｔｈｅ  ５Ｇ  Ｓｙｓｔｅｍ；  Ｓｔａｇｅ  ２”
【非特許文献３】３ＧＰＰ  ＴＳ  ３６．３００,  ｖ１５．３．０，“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  Ｎｅｔｗｏｒｋ  （Ｅ−ＵＴＲＡＮ）；Ｏｖｅｒａｌｌ  ｄｅｓｃｒｉｐｔｉｏｎ；  Ｓｔａｇｅ  ２”
【非特許文献４】３ＧＰＰ  ＴＳ  ３６．３３１  ｖ１５．４．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献５】３ＧＰＰ  ＴＳ  ３６．３２３  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献６】３ＧＰＰ  ＴＳ  ３６．３２２  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献７】３ＧＰＰ  ＴＳ  ３６．３２１  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献８】３ＧＰＰ  ＴＳ  ３７．３４０ｖ  １５．３．０,“ＥｖｏｌｖｅｄＵｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  ＮＲ;  Ｍｕｌｔｉ−Ｃｏｎｎｅｃｔｉｖｉｔｙ;  Ｓｔａｇｅ  ２”
【非特許文献９】３ＧＰＰ  ＴＳ  ３８．３００ｖ  １５．３．０,“ＮＲ；ＮＲ  ａｎｄ  ＮＧ−ＲＡＮ  Ｏｖｅｒａｌｌ  ｄｅｓｃｒｉｐｔｉｏｎ；  Ｓｔａｇｅ  ２”
【非特許文献１０】３ＧＰＰ  ＴＳ  ３８．３３１  ｖ１５．４．０,“ＮＲ；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献１１】３ＧＰＰ  ＴＳ  ３８．３２３  ｖ１５．３．０,“ＮＲ；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献１２】３ＧＰＰ  ＴＳ  ３８．３２２  ｖ１５．３．０,“ＮＲ；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献１３】３ＧＰＰ  ＴＳ  ３８．３２１  ｖ１５．３．０,“ＮＲ；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献１４】３ＧＰＰ  ＴＳ  ２３．４０１  ｖ１５．０．０，“Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ”
【非特許文献１５】３ＧＰＰ  ＴＳ  ２３．５０２  ｖ１５．３．０,“Ｐｒｏｃｅｄｕｒｅ  ｆｏｒ  ５Ｇ  Ｓｙｓｔｅｍ；  Ｓｔａｇｅ  ２”
【非特許文献１６】３ＧＰＰ  ＴＳ  ３７．３２４  ｖ１５．１．０,“ＮＲ；Ｓｅｒｖｉｃｅ  Ｄａｔａ  Ａｄａｐｔａｔｉｏｎ  Ｐｒｏｔｏｃｏｌ  （ＳＤＡＰ）  ｓｐｅｃｉｆｉｃａｔｉｏｎ”
【非特許文献１７】３ＧＰＰ  ＲＰ−１６１２６６、  “５Ｇ  Ａｒｃｈｉｔｅｃｔｕｒｅ  Ｏｐｔｉｏｎｓ−Ｆｕｌｌ  Ｓｅｔ”
【発明の概要】
【発明が解決しようとする課題】
【０００５】
ＮＲの技術検討の一つとして、Ｅ−ＵＴＲＡが５ＧＣに接続するアーキテクチャ、ＮＲが５ＧＣに接続するアーキテクチャ、Ｅ−ＵＴＲＡとＮＲの両方のＲＡＴ（Ｒａｄｉｏ  Ａｃｃｅｓｓ  Ｔｅｃｈｎｏｌｏｇｙ）のセルをＲＡＴ毎にセルグループ化してＵＥに割り当て、端末装置と１つ以上の基地局装置とが通信する仕組み（ＭＲ−ＤＣ：Ｍｕｌｔｉ−ＲＡＴ  Ｄｕａｌ  Ｃｏｎｎｅｃｔｉｖｉｔｙ，Ｍｕｌｔｉ−Ｒａｄｉｏ  Ｄｕａｌ  Ｃｏｎｎｅｃｔｉｖｉｔｙ）に関するアーキテクチャなどが検討されている（非特許文献１７）。
【０００６】
しかしながら、各アーキテクチャで利用する通信プロトコルのフォーマットや機能が異なるため、また利用されるコア網が異なるため、通信を継続しながらのアーキテクチャの異なるネットワークへの移動（ハンドオーバ）、従来のＬＴＥ内での移動に比べ、プロトコル処理が複雑になり、基地局装置と端末装置との通信を効率的に行うことができないという課題があった。
【０００７】
本発明の一態様は、上記した事情に鑑みてなされたもので、基地局装置との通信を効率的に行うことができる端末装置、基地局装置、該端末装置に用いられる方法、該端末装置に実装される集積回路を提供することを目的の一つとする。
【課題を解決するための手段】
【０００８】
上記の目的を達成するために、本発明の一態様は、以下のような手段を講じた。すなわ
ち基地局装置と通信する端末装置であって、前記基地局装置からＲＲＣコネクションの再設定に関するメッセージを受信する受信部と、前記ＲＲＣコネクションの再設定に関するメッセージに、フル設定を適応する事を示す情報が含まれている事に基づいて、フル設定における処理を行い、前記フル設定における処理において、前記ＲＲＣコネクションの再設定に関するメッセージに含まれる、ＳＲＢ設定に含まれるＳＲＢ識別子に対応するＳＲＢに対し、ＮＲ  ＰＤＣＰエンティティが存在しない事に基づいて、ＮＲ  ＰＤＣＰエンティティを確立する処理部と、を有する。
【０００９】
また本発明の一態様は、端末装置と通信する基地局装置であって、前記基地局装置からＲＲＣコネクションの再設定に関するメッセージを送信する受信部と、前記ＲＲＣコネクションの再設定に関するメッセージに、フル設定を適応する事を示す情報が含まれている事に基づいて、前記端末装置にフル設定における処理を行わせ、前記フル設定における処理において、前記ＲＲＣコネクションの再設定に関するメッセージに含まれる、ＳＲＢ設定に含まれるＳＲＢ識別子に対応するＳＲＢに対し、ＮＲ  ＰＤＣＰエンティティが存在しない事に基づいて、ＮＲ  ＰＤＣＰエンティティを確立させる処理部と、を有する。
【００１０】
また本発明の一態様は、基地局装置と通信する端末装置の方法であって、前記基地局装置からＲＲＣコネクションの再設定に関するメッセージを受信し、前記ＲＲＣコネクションの再設定に関するメッセージに、フル設定を適応する事を示す情報が含まれている事に基づいて、フル設定における処理を行い、前記フル設定における処理において、前記ＲＲＣコネクションの再設定に関するメッセージに含まれる、ＳＲＢ設定に含まれるＳＲＢ識別子に対応するＳＲＢに対し、ＮＲ  ＰＤＣＰエンティティが存在しない事に基づいて、ＮＲ  ＰＤＣＰエンティティを確立する。
【００１１】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１２】
本発明の一態様によれば、端末装置は、プロトコル処理の複雑さを軽減し、効率的に通信を行うことができる。
【図面の簡単な説明】
【００１３】
【図１】本発明の各実施の形態に係る通信システムの概略図。
【図２】本発明の各実施の形態における、Ｅ−ＵＴＲＡにおける端末装置と基地局装置のＵＰ及びＣＰのプロトコルスタック図。
【図３】本発明の各実施の形態における、ＮＲにおける端末装置と基地局装置のＵＰ及びＣＰのプロトコルスタック図。
【図４】本発明の各実施の形態におけるＲＲＣ２０８及び／又はＲＲＣ３０８における、各種設定のための手順のフローの一例を示す図。
【図５】本発明の各実施の形態における端末装置の構成を示すブロック図。
【図６】本発明の各実施の形態における基地局装置の構成を示すブロック図。
【図７】本発明の実施の形態におけるＮＲでのＲＲＣコネクションの再設定に関するメッセージに含まれるＡＳＮ．１記述の一例。
【図８】本発明の実施の形態におけるＥ−ＵＴＲＡでのＲＲＣコネクションの再設定に関するメッセージに含まれるＡＳＮ．１記述の一例。
【図９】本発明の実施の形態におけるＵＥ１２２の処理方法の一例。
【図１０】本発明の実施の形態におけるＵＥ１２２の処理方法の第二の一例。
【図１１】本発明の実施の形態におけるＵＥ１２２の処理方法の第三の一例。
【発明を実施するための形態】
【００１４】
以下、本発明の実施の形態について、図面を参照して詳細に説明する。
【００１５】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＭｕｌｔｉ  Ｒａｄｉｏ  Ｄｕａｌ  ｃｏｎｎｅｃｔｉｖｉｔｙで接続可能なＬＴＥは、従来のＬＴＥと区別されてもよい。また、コアネットワークが５ＧＣであるＬＴＥは、コアネットワークがＥＰＣである従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。また本実施形態でのＥ−ＵＴＲＡという用語は、ＬＴＥという用語に置き換えられても良いし、ＬＴＥという用語はＥ−ＵＴＲＡという用語に置き換えられても良い。
【００１６】
図１は本発明の各実施の形態に係る通信システムの概略図である。
【００１７】
Ｅ−ＵＴＲＡ１００は非特許文献３等に記載の無線アクセス技術であり、１つ又は複数の周波数帯域で構成するセルグループ（Ｃｅｌｌ  Ｇｒｏｕｐ：ＣＧ）から成る。ｅＮＢ（Ｅ−ＵＴＲＡＮ  Ｎｏｄｅ  Ｂ）１０２は、Ｅ−ＵＴＲＡ１００の基地局装置である。ＥＰＣ（Ｅｖｏｌｖｅｄ  Ｐａｃｋｅｔ  Ｃｏｒｅ）１０４は、非特許文献１４等に記載のコア網であり、Ｅ−ＵＴＲＡ１００用のコア網として設計された。インタフェース１１２はｅＮＢ１０２とＥＰＣ１０４の間のインタフェース（ｉｎｔｅｒｆａｃｅ）であり、制御信号が通る制御プレーン（Ｃｏｎｔｒｏｌ  Ｐｌａｎｅ：ＣＰ）と、そのユーザデータが通るユーザプレーン（Ｕｓｅｒ  Ｐｌａｎｅ：ＵＰ）が存在する。
【００１８】
ＮＲ１０６は非特許文献９等に記載の無線アクセス技術であり、１つ又は複数の周波数帯域で構成するセルグループ（Ｃｅｌｌ  Ｇｒｏｕｐ：ＣＧ）から成る。ｇＮＢ（ｇ  Ｎｏｄｅ  Ｂ）１０８は、ＮＲ１０６の基地局装置である。５ＧＣ１１０は、非特許文献２等に記載のコア網であり、ＮＲ１０６用のコア網として設計されているが、５ＧＣ１１０に接続する機能をもつＥ−ＵＴＲＡ１００用のコア網として使われても良い。以下Ｅ−ＵＴＲＡ１００とは５ＧＣ１１０に接続する機能をもつＥ−ＵＴＲＡ１００を含んでも良い。
【００１９】
インタフェース１１４はｅＮＢ１０２と５ＧＣ１１０の間のインタフェース、インタフェース１１６はｇＮＢ１０８と５ＧＣ１１０の間のインタフェース、インタフェース１１８はｇＮＢ１０８とＥＰＣ１０４の間のインタフェース、インタフェース１２０はｅＮＢ１０２とｇＮＢ１０８の間のインタフェース、インタフェース１２４はＥＰＣ１０４と５ＧＣ１１０間のインタフェースである。インタフェース１１４、インタフェース１１６、インタフェース１１８、インタフェース１２０、及びインタフェース１２４等はＣＰのみ、又はＵＰのみ、又はＣＰ及びＵＰ両方を通すインタフェースであっても良い。また、インタフェース１１４、インタフェース１１６、インタフェース１１８、インタフェース１２０、及びインタフェース１２４等は、通信事業者が提供する通信システムに応じて存在しない場合もあっても良い。
【００２０】
ＵＥ１２２はＥ−ＵＴＲＡ１００及びＮＲ１０６の内のいずれかまたは全てに対応した端末装置である。非特許文献３、及び非特許文献９の内のいずれかまたは全てに記載の通り、ＵＥ１２２が、Ｅ−ＵＴＲＡ１００及びＮＲ１０６の内のいずれかまたは全てを介してコア網と接続する際、ＵＥ１２２と、Ｅ−ＵＴＲＡ１００及びＮＲ１０６の内のいずれかまたは全てとの間に、無線ベアラ（ＲＢ：Ｒａｄｉｏ  Ｂｅａｒｅｒ）と呼ばれる論理
経路が確立される。ＣＰに用いられる無線ベアラは、シグナリング無線ベアラ（ＳＲＢ：Ｓｉｇｎａｌｉｎｇ  Ｒａｄｉｏ  Ｂｅａｒｅｒ）と呼ばれ、ＵＰに用いられる無線ベアラは、データ無線ベアラ（ＤＲＢ  Ｄａｔａ  Ｒａｄｉｏ  Ｂｅａｒｅｒ）と呼ばれる。各ＲＢは、ＲＢ識別子（ＲＢ  Ｉｄｅｎｔｉｔｙ，又はＲＢ  ＩＤ）が割り当てられ、一意に識別される。ＳＲＢ用ＲＢ識別子は、ＳＲＢ識別子（ＳＲＢ  Ｉｄｅｎｔｉｔｙ，又はＳＲＢ  ＩＤ）と呼ばれ、ＤＲＢ用ＲＢ識別子は、ＤＲＢ識別子（ＤＲＢ  Ｉｄｅｎｔｉｔｙ，又はＤＲＢ  ＩＤ）と呼ばれる。
【００２１】
非特許文献３に記載の通り、ＵＥ１２２の接続先コア網がＥＰＣ１０４である場合、ＵＥ１２２と、Ｅ−ＵＴＲＡ１００及びはＮＲ１０６の内のいずれかまたは全てとの間に確立された各ＤＲＢは更に、ＥＰＣ１０４内を経由する各ＥＰＳ（Ｅｖｏｌｖｅｄ  Ｐａｃｋｅｔ  Ｓｙｓｔｅｍ）ベアラと一意に紐づけられる。各ＥＰＳベアラは、ＥＰＳベアラ識別子（Ｉｄｅｎｔｉｔｙ，又はＩＤ）が割り当てられ、一意に識別される。また同一のＥＰＳベアラを通るデータは同一のＱｏＳが保証される。
【００２２】
非特許文献９に記載の通り、ＵＥ１２２の接続先コア網が５ＧＣ１１０である場合、ＵＥ１２２と、Ｅ−ＵＴＲＡ１００及びＮＲ１０６の内のいずれかまたは全てとの間に確立された一つ又は複数のＤＲＢは更に、５ＧＣ１１０内に確立されるＰＤＵ（Ｐａｃｋｅｔ
Ｄａｔａ  Ｕｎｉｔ）セッションの一つに紐づけられる。各ＰＤＵセッションには、一つ又は複数のＱｏＳフローが存在する。各ＤＲＢは、紐づけられているＰＤＵセッション内に存在する、一つ又は複数のＱｏＳフローと対応付け（ｍａｐ）されても良いし、どのＱｏＳフローと対応づけられなくても良い。各ＰＤＵセッションは、ＰＤＵセッション識別子（Ｉｄｅｎｔｉｔｙ，又はＩＤ）で識別される。また各ＱｏＳフローは、ＱｏＳフロー識別子で識別される。また同一のＱｏＳフローを通るデータは同一のＱｏＳが保証される。
【００２３】
ＥＰＣ１０４には、ＰＤＵセッション及びＱｏＳフローの内のいずれかまたは全ては存在せず、５ＧＣ１１０にはＥＰＳベアラは存在しない。言い換えると、ＵＥ１２２がＥＰＣ１０４と接続している際、ＵＥ１２２はＥＰＳベアラの情報を持ち、ＵＥ１２２が５ＧＣ１１０と接続している際、ＵＥ１２２はＰＤＵセッション及びＱｏＳフローの内のいずれかまたは全ての情報を持つ。
【００２４】
図２は本発明の各実施の形態における、Ｅ−ＵＴＲＡ無線アクセスレイヤにおける端末装置と基地局装置のＵＰ及びＣＰのプロトコルスタック（Ｐｒｏｔｏｃｏｌ  Ｓｔａｃｋ）図である。
【００２５】
図２（Ａ）はＥ−ＵＴＲＡ１００においてＵＥ１２２がｅＮＢ１０２と通信を行う際に用いるＵＰのプロトコルスタック図である。
【００２６】
ＰＨＹ（Ｐｈｙｓｉｃａｌ  ｌａｙｅｒ）２００は、無線物理層（無線物理レイヤ）であり、物理チャネル（Ｐｈｙｓｉｃａｌ  Ｃｈａｎｎｅｌ）を利用して上位層（上位レイヤ）に伝送サービスを提供する。ＰＨＹ２００は、後述する上位のＭＡＣ（Ｍｅｄｉｕｍ
Ａｃｃｅｓｓ  Ｃｏｎｔｒｏｌ  ｌａｙｅｒ）２０２とトランスポートチャネル（Ｔｒａｎｓｐｏｒｔ  Ｃｈａｎｎｅｌ）で接続される。トランスポートチャネルを介して、ＭＡＣ２０２とＰＨＹ２００の間でデ−タが移動する。ＵＥ１２２とｅＮＢ１０２のＰＨＹ間において、無線物理チャネルを介してデ−タの送受信が行われる。
【００２７】
ＭＡＣ２０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ２０２は、後述する上位のＲＬＣ（Ｒａｄｉｏ  Ｌｉｎｋ  Ｃｏｎｔｒｏｌ  ｌａｙｅｒ）２０４と、論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ２０２は、間欠受送信（ＤＲＸ・ＤＴＸ）を行うためにＰＨＹ２００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持つ（非特許文献７）。
【００２８】
ＲＬＣ２０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層（下位レイヤ）が適切にデ−タ送信できるようにデ−タサイズを調節する無線リンク制御層（無線リンク制御レイヤ）である。また、ＲＬＣ２００は、各デ−タが要求するＱｏＳ（Ｑｕａｌｉｔｙ  ｏｆ  Ｓｅｒｖｉｃｅ）を保証するための機能も持つ。すなわち、ＲＬＣ２０４は、デ−タの再送制御等の機能を持つ（非特許文献６）。
【００２９】
ＰＤＣＰ２０６は、ユーザデータであるＩＰパケット（ＩＰ  Ｐａｃｋｅｔ）を無線区間で効率的に伝送するためのパケットデータ収束プロトコル層（パケットデータ収束プロトコルレイヤ）である。ＰＤＣＰ２０６は、不要な制御情報の圧縮を行うヘッダ圧縮機能を持ってもよい。また、ＰＤＣＰ２０６は、デ−タの暗号化の機能も持ってもよい（非特許文献５）。
【００３０】
なお、ＭＡＣ２０２、ＲＬＣ２０４、ＰＤＣＰ２０６において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵと呼ぶ。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵと呼ぶ。
【００３１】
図２（Ｂ）はＥ−ＵＴＲＡ１００において、ＵＥ１２２がｅＮＢ１０２、および認証やモビリティマネージメントなどの機能を提供する論理ノードであるＭＭＥ（Ｍｏｂｉｌｉｔｙ  Ｍａｎａｇｅｍｅｎｔ  Ｅｎｔｉｔｙ）と通信を行う際に用いるＣＰのプロトコルスタック図である。
【００３２】
ＣＰのプロトコルスタックには、ＰＨＹ２００、ＭＡＣ２０２、ＲＬＣ２０４、ＰＤＣＰ２０６に加え、ＲＲＣ（Ｒａｄｉｏ  Ｒｅｓｏｕｒｃｅ  Ｃｏｎｔｒｏｌ  ｌａｙｅｒ）２０８、およびＮＡＳ（ｎｏｎ  Ａｃｃｅｓｓ  Ｓｔｒａｒｕｍ）２１０が存在する。ＲＲＣ２０８は、ＲＲＣ接続の確立、再確立、一時停止（ｓｕｓｐｅｎｄ）、一時停止解除（ｒｅｓｕｍｅ）等の処理や、ＲＲＣ接続の再設定、例えば無線ベアラ（Ｒａｄｉｏ  Ｂｅａｒｅｒ：ＲＢ）及びセルグループ（Ｃｅｌｌ  Ｇｒｏｕｐ）の確立、変更、解放等の設定を行い、論理チャネル、トランスポートチャネル及び物理チャネルの制御などを行う他、ハンドオーバ及び測定（Ｍｅａｓｕｒｅｍｅｎｔ：メジャメント）の設定などを行う、無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｅＮＢ１０２とＵＥ１２２のＲＲＣ２０８間で各ＲＢの設定が行われてもよい。またＲＢのうちＲＬＣ２０４とＭＡＣ２０２で構成される部分をＲＬＣベアラと呼んでも良い（非特許文献４）。また、ＭＭＥとＵＥ１２２との間の信号を運ぶＮＡＳレイヤに対して、ＵＥ１２２とｅＮＢ１０２との間の信号及びデータを運ぶＰＨＹ２００、ＭＡＣ２０２、ＲＬＣ２０４、ＰＤＣＰ２０６、ＲＲＣ２０８の一部のレイヤあるいはすべてのレイヤをＡＳ（Ａｃｃｅｓｓ  Ｓｔｒａｒｕｍ）レイヤと称してよい。
【００３３】
前述のＭＡＣ２０２、ＲＬＣ２０４、ＰＤＣＰ２０６、及びＲＲＣ２０８の機能分類は一例であり、各機能の一部あるいは全部が実装されなくてもよい。また、各層の機能の一部あるいは全部が他の層に含まれてもよい。
【００３４】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＰＤＣＰレイヤの上位レイヤとなる（不図示）。またＲＲＣレイヤやＮＡＳ（ｎｏｎ  Ａｃｃｅｓｓ  Ｓｔｒａｒｕｍ）レイヤもＰＤＣＰレイヤの上位レイヤとなる（不図示）。言い換えれば、ＰＤＣＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤの下位レイヤとなる。
【００３５】
図３は本発明の各実施の形態における、ＮＲ無線アクセスレイヤにおける端末装置と基地局装置のＵＰ及びＣＰのプロトコルスタック（Ｐｒｏｔｏｃｏｌ  Ｓｔａｃｋ）図である。
【００３６】
図３（Ａ）はＮＲ１０６においてＵＥ１２２がｇＮＢ１０８と通信を行う際に用いるＵＰのプロトコルスタック図である。
【００３７】
ＰＨＹ（Ｐｈｙｓｉｃａｌ  ｌａｙｅｒ）３００は、ＮＲの無線物理層（無線物理レイヤ）であり、物理チャネル（Ｐｈｙｓｉｃａｌ  Ｃｈａｎｎｅｌ）を利用して上位層に伝送サービスを提供してもよい。ＰＨＹ３００は、後述する上位のＭＡＣ（Ｍｅｄｉｕｍ  Ａｃｃｅｓｓ  Ｃｏｎｔｒｏｌ  ｌａｙｅｒ）３０２とトランスポートチャネル（Ｔｒａｎｓｐｏｒｔ  Ｃｈａｎｎｅｌ）で接続されてもよい。トランスポートチャネルを介して、ＭＡＣ３０２とＰＨＹ３００の間でデ−タが移動してもよい。ＵＥ１２２とｇＮＢ１０８のＰＨＹ間において、無線物理チャネルを介してデ−タの送受信が行われてもよい。
【００３８】
ＭＡＣ３０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ３０２は、後述する上位のＲＬＣ（Ｒａｄｉｏ  Ｌｉｎｋ  Ｃｏｎｔｒｏｌ  ｌａｙｅｒ）３０４と、論理チャネルで接続されてもよい。論理チャネルは、伝送される情報の種類によって大きく分けられ、制御情報を伝送する制御チャネルとユ−ザ情報を伝送するトラフィックチャネルに分けられてもよい。ＭＡＣ３０２は、間欠受送信（ＤＲＸ・ＤＴＸ）を行うためにＰＨＹ３００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持ってもよい（非特許文献１３）。
【００３９】
ＲＬＣ３０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層が適切にデ−タ送信できるようにデ−タサイズを調節する無線リンク制御層（無線リンク制御レイヤ）である。また、ＲＬＣ３０４は、各デ−タが要求するＱｏＳ（Ｑｕａｌｉｔｙ  ｏｆ  Ｓｅｒｖｉｃｅ）を保証するための機能も持っても良い。すなわち、ＲＬＣ３０４は、デ−タの再送制御等の機能を持っても良い（非特許文献１２）。
【００４０】
ＰＤＣＰ３０６は、ユーザデータであるＩＰパケット（ＩＰ  Ｐａｃｋｅｔ）を無線区
間で効率的に伝送するパケットデータ収束プロトコル層（パケットデータ収束プロトコル層）である。ＰＤＣＰ３０６、不要な制御情報の圧縮を行うヘッダ圧縮機能を持ってもよい。また、ＰＤＣＰ３０６は、デ−タの暗号化の機能も持ってもよい（非特許文献１１）。
【００４１】
ＳＤＡＰ（Ｓｅｒｖｉｃｅ  Ｄａｔａ  Ａｄａｐｔａｔｉｏｎ  Ｐｒｏｔｏｃｏｌ）３１０は、５ＧＣ１１０から基地局装置を介して端末装置に送られるダウンリンクのＱｏＳフローとＤＲＢとの対応付け（マッピング：ｍａｐｐｉｎｇ）、及び端末装置から基地局装置を介して５ＧＣ１１０に送られるアップリンクのＱｏＳフローと、ＤＲＢとのマッピングを行い、マッピングルール情報を格納する機能を持もつ、サービスデータ適応プロトコル層（サービスデータ適応プロトコルレイヤ）である（非特許文献１６）。
【００４２】
図３（Ｂ）はＮＲ１０６において、ＵＥ１２２がｇＮＢ１０８、および認証やモビリティマネージメントなどの機能を提供する論理ノードであるＡＭＦ（Ａｃｃｅｓｓ  ａｎｄ  Ｍｏｂｉｌｉｔｙ  Ｍａｎａｇｅｍｅｎｔ  ｆｕｎｃｔｉｏｎ）と通信を行う際に用いるＣＰのプロトコルスタック図である。
【００４３】
ＣＰのプロトコルスタックには、ＰＨＹ３００、ＭＡＣ３０２、ＲＬＣ３０４、ＰＤＣＰ３０６に加え、ＲＲＣ（Ｒａｄｉｏ  Ｒｅｓｏｕｒｃｅ  Ｃｏｎｔｒｏｌ  ｌａｙｅｒ）３０８、およびＮＡＳ（ｎｏｎ  Ａｃｃｅｓｓ  Ｓｔｒａｒｕｍ）３１０が存在する。ＲＲＣ３０８は、ＲＲＣ接続の確立、再確立、一時停止（ｓｕｓｐｅｎｄ）、一時停止解除（ｒｅｓｕｍｅ）等の処理や、ＲＲＣ接続の再設定、例えば無線ベアラ（Ｒａｄｉｏ  Ｂｅａｒｅｒ：ＲＢ）及びセルグループ（Ｃｅｌｌ  Ｇｒｏｕｐ）の確立、変更、解放等の設定を行い、論理チャネル、トランスポートチャネル及び物理チャネルの制御などを行う他、ハンドオーバ及び測定（Ｍｅａｓｕｒｅｍｅｎｔ：メジャメント）の設定などを行う、無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｇＮＢ１０８とＵＥ１２２のＲＲＣ３０８間で各ＲＢの設定が行われてもよい。またＲＢのうちＲＬＣ３０４とＭＡＣ３０２で構成される部分をＲＬＣベアラと呼んでも良い（非特許文献１０）。また、ＡＭＦとＵＥ１２２との間の信号を運ぶＮＡＳレイヤに対して、ＵＥ１２２とｇＮＢ１０８との間の信号及びデータを運ぶＰＨＹ３００、ＭＡＣ３０２、ＲＬＣ３０４、ＰＤＣＰ３０６、ＲＲＣ３０８、ＳＤＡＰ３１０の一部のレイヤあるいはすべてのレイヤをＡＳ（Ａｃｃｅｓｓ  Ｓｔｒａｒｕｍ）レイヤと称してよい。
【００４４】
前述のＭＡＣ３０２、ＲＬＣ３０４、ＰＤＣＰ３０６、ＳＤＡＰ３１０、及びＲＲＣ３０８の機能分類は一例であり、各機能の一部あるいは全部が実装されなくてもよい。また、各層（各レイヤ）の機能の一部あるいは全部が他の層（レイヤ）に含まれてもよい。
【００４５】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＳＤＡＰレイヤ及びＰＤＣＰレイヤの内のいずれかまたは全ての上位レイヤとなる（不図示）。またＲＲＣレイヤやＮＡＳ（ｎｏｎ  Ａｃｃｅｓｓ  Ｓｔｒａｒｕｍ）レイヤもＳＤＡＰレイヤ及びＰＤＣＰレイヤの内のいずれかまたは全ての上位レイヤとなっても良い（不図示）。言い換えれば、ＳＤＡＰレイヤ及びＰＤＣＰレイヤの内のいずれかまたは全てはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、及びアプリケーションレイヤの内のいずれかまたは全ての下位レイヤとなる。
【００４６】
なお、本発明の各実施の形態において、ＩＭＳで用いられるＳＩＰ（Ｓｅｓｓｉｏｎ  Ｉｎｉｔｉａｔｉｏｎ  Ｐｒｏｔｏｃｏｌ）やＳＤＰ（Ｓｅｓｓｉｏｎ  Ｄｅｓｃｒｉｐｔｉｏｎ  Ｐｒｏｔｏｃｏｌ）等、またメディア通信又はメディア通信制御に用いられるＲＴＰ（Ｒｅａｌ−ｔｉｍｅ  Ｔｒａｎｓｐｏｒｔ  Ｐｒｏｔｏｃｏｌ）、ＲＴＣＰ（Ｒｅａｌ−ｔｉｍｅ  Ｔｒａｎｓｐｏｒｔ  Ｃｏｎｔｒｏｌ  Ｐｒｏｔｏｃｏｌ）、ＨＴＴＰ（ＨｙｐｅｒＴｅｘｔ  Ｔｒａｎｓｆｅｒ  Ｐｒｏｔｏｃｏｌ）等、及び各種メディアのコーデック等の内のいずれかまたは全ては、アプリケーションレイヤに所属するものとする。
【００４７】
なお、端末装置、及び基地局装置の内のいずれかまたは全てに設定されるＡＳレイヤに属する各層、又は各層の機能の事を、エンティティと呼んでも良い。即ち、端末装置、及び基地局装置の内のいずれかまたは全てに設定される、ＭＡＣ層、ＲＬＣ層、ＰＤＣＰ層、ＳＤＡＰ層、及びＲＲＣ層の事、又は各層の機能の事を、ＭＡＣエンティティ、ＲＬＣエンティティ、ＰＤＣＰエンティティ、ＳＤＡＰエンティティ、及びＲＲＣエンティティと、それぞれ呼んでも良い。
【００４８】
なお、本発明の各実施の形態では、以下Ｅ−ＵＴＲＡのプロトコルとＮＲのプロトコルを区別するため、ＭＡＣ２０２、ＲＬＣ２０４、ＰＤＣＰ２０６、及びＲＲＣ２０８を、それぞれＥ−ＵＴＲＡ用ＭＡＣ又はＬＴＥ用ＭＡＣ、Ｅ−ＵＴＲＡ用ＲＬＣ又はＬＴＥ用ＲＬＣ、Ｅ−ＵＴＲＡ用ＰＤＣＰ又はＬＴＥ用ＰＤＣＰ、及びＥ−ＵＴＲＡ用ＲＲＣ又はＬＴＥ用ＲＲＣと呼ぶ事もある。また、ＭＡＣ３０２、ＲＬＣ３０４、ＰＤＣＰ３０６、ＲＲＣ３０８を、それぞれＮＲ用ＭＡＣ、ＮＲ用ＲＬＣ、ＮＲ用ＲＬＣ、及びＮＲ用ＲＲＣと呼ぶ事もある。又は、Ｅ−ＵＴＲＡ  ＰＤＣＰ又はＬＴＥ  ＰＤＣＰ、ＮＲ  ＰＤＣＰなどとスペースを用いて記述する場合もある。
【００４９】
また、図１に示す通り、ｅＮＢ１０２、ｇＮＢ１０８、ＥＰＣ１０４、５ＧＣ１１０は、インタフェース１１２、インタフェース１１６、インタフェース１１８、インタフェース１２０、及びインタフェース１１４を介して繋がってもよい。このため、多様な通信システムに対応するため、図２のＲＲＣ２０８は、図３のＲＲＣ３０８に置き換えられてもよい。また図２のＰＤＣＰ２０６は、図３のＰＤＣＰ３０６に置き換えられても良い。また、図３のＲＲＣ３０８は、図２のＲＲＣ２０８の機能を含んでも良い。また図３のＰＤＣＰ３０６は、図２のＰＤＣＰ２０６であっても良い。また、Ｅ−ＵＴＲＡ１００において、ＵＥ１２２がｅＮＢ１０２と通信する場合であってもＰＤＣＰとしてＮＲ  ＰＤＣＰが使われても良い。
【００５０】
次にＬＴＥ及びＮＲにおけるＵＥ１２２の状態遷移について説明する。ＥＰＣに接続するＵＥ１２２は、ＲＲＣ接続が設立されている（ＲＲＣ  ｃｏｎｎｅｃｔｉｏｎ  ｈａｓ
ｂｅｅｎ  ｅｓｔａｂｌｉｓｈｅｄ）とき、ＲＲＣ＿ＣＯＮＮＥＣＴＥＤ状態であってよい。また、ＵＥ１２２は、ＲＲＣ接続が休止しているとき、（もしＵＥ１２２が５ＧＣに接続しているなら）ＲＲＣ＿ＩＮＡＣＴＩＶＥ状態であってよい。もし、それらのケースでないなら、ＵＥ１２２は、ＲＲＣ＿ＩＤＬＥ状態であってよい。
【００５１】
なお、ＥＰＣに接続するＵＥ１２２は、ＲＲＣ＿ＩＮＡＣＴＩＶＥ状態を持たないが、Ｅ−ＵＴＲＡＮによってＲＲＣ接続の休止が開始されてもよい。この場合、ＲＲＣ接続が休止されるとき、ＵＥ１２２はＵＥのＡＳコンテキストと復帰に用いる識別子（ｒｅｓｕｍｅＩｄｅｎｔｉｔｙ）を保持してＲＲＣ＿ＩＤＬＥ状態に遷移する。ＵＥ１２２がＵＥのＡＳコンテキストを保持しており、かつＥ−ＵＴＲＡＮによってＲＲＣ接続の復帰が許
可（Ｐｅｒｍｉｔ）されており、かつＵＥ１２２がＲＲＣ＿ＩＤＬＥ状態からＲＲＣ＿ＣＯＮＮＥＣＴＥＤ状態に遷移する必要があるとき、休止されたＲＲＣ接続の復帰が上位レイヤ（例えばＮＡＳレイヤ）によって開始されてよい。
【００５２】
すなわち、ＥＰＣに接続するＵＥ１２２と、５ＧＣに接続するＵＥ１２２とで、休止の定義が異なってよい。また、ＵＥ１２２がＥＰＣに接続している場合（ＲＲＣ＿ＩＤＬＥ状態で休止している場合）と５ＧＣに接続している場合（ＲＲＣ＿ＩＮＡＣＴＩＶＥ状態で休止している場合）とで、休止から復帰する手順のすべてあるいは一部が異なってよい。
【００５３】
なお、ＲＲＣ＿ＣＯＮＮＥＣＴＥＤ状態、ＲＲＣ＿ＩＮＡＣＴＩＶＥ状態、ＲＲＣ＿ＩＤＬＥ状態の事をそれぞれ、接続状態（ｃｏｎｎｅｃｔｅｄ  ｍｏｄｅ）、非活性状態（ｉｎａｃｔｉｖｅ  ｍｏｄｅ）、休止状態（ｉｄｌｅ  ｍｏｄｅ）と呼んでも良い。
【００５４】
ＵＥ１２２が保持するＵＥのＡＳコンテキストは、現在のＲＲＣ設定、現在のセキュリティコンテキスト、ＲＯＨＣ（ＲＯｂｕｓｔ  Ｈｅａｄｅｒ  Ｃｏｍｐｒｅｓｓｉｏｎ）状態を含むＰＤＣＰ状態、接続元（Ｓｏｕｒｃｅ）のＰＣｅｌｌで使われていたＣ−ＲＮＴＩ、セル識別子（ｃｅｌｌＩｄｅｎｔｉｔｙ）、接続元のＰＣｅｌｌの物理セル識別子、のすべてあるいは一部を含む情報であってよい。なお、ｅＮＢ１０２およびｇＮＢ１０８の内のいずれかまたは全ての保持するＵＥのＡＳコンテキストは、ＵＥ１２２が保持するＵＥのＡＳコンテキストと同じ情報を含んでもよいし、ＵＥ１２２が保持するＵＥのＡＳコンテキストに含まれる情報とは異なる情報が含まれてもよい。
【００５５】
セキュリティコンテキストとは、ＡＳレベルにおける暗号鍵、ＮＨ（Ｎｅｘｔ  Ｈｏｐ
ｐａｒａｍｅｔｅｒ）、次ホップのアクセス鍵導出に用いられるＮＣＣ（Ｎｅｘｔ  Ｈｏｐ  Ｃｈａｉｎｉｎｇ  Ｃｏｕｎｔｅｒ  ｐａｒａｍｅｔｅｒ）、選択されたＡＳレベルの暗号化アルゴリズムの識別子、リプレイ保護のために用いられるカウンター、のすべてあるいは一部を含む情報であってよい。
【００５６】
図４は、本発明の各実施の形態におけるＲＲＣ２０８及び／又は（ａｎｄ／ｏｒ）ＲＲＣ３０８における、各種設定のための手順（ｐｒｏｃｅｄｕｒｅ）のフローの一例を示す図である。図４は、基地局装置（ｅＮＢ１０２及び／又はｇＮＢ１０８）から端末装置（ＵＥ１２２）にＲＲＣメッセージが送られる場合のフローの一例である。
【００５７】
図４において、基地局装置はＲＲＣメッセージを作成する（ステップＳ４００）。基地局装置におけるＲＲＣメッセージの作成は、基地局装置が報知情報（ＳＩ：Ｓｙｓｔｅｍ
Ｉｎｆｏｒｍａｔｉｏｎ）やページング情報を配信する際に行われても良いし、基地局装置が特定の端末装置に対して処理を行わせる必要があると判断した際、例えばセキュリティに関する設定や、ＲＲＣ接続（コネクション）の再設定（無線線ベアラの処理（確立、変更、解放など）や、セルグループの処理（確立、追加、変更、解放など）、メジャメント設定、ハンドオーバ設定など）、ＲＲＣ接続状態の解放などの際に行われても良い。またＲＲＣメッセージは異なるＲＡＴへのハンドオーバコマンドに用いられても良い。ＲＲＣメッセージには各種情報通知や設定のための情報（パラメータ）が含まれる。非特許文献４又は非特許文献１０などのＲＲＣに関する仕様書では、これらのパラメータは、フィールド及び／又は情報要素呼ばれ、ＡＳＮ．１（Ａｂｓｔｒａｃｔ  Ｓｙｎｔａｘ  Ｎｏｔａｔｉｏｎ  Ｏｎｅ）という記述方式を用いて記述される。
【００５８】
図４において、次に基地局装置は、作成したＲＲＣメッセージを端末装置に送信する（ステップＳ４０２）。次に端末装置は受信した上述のＲＲＣメッセージに従って、設定などの処理が必要な場合には処理を行う（ステップＳ４０４）。
【００５９】
なお、ＲＲＣメッセージの作成は、上述の例に限らず、非特許文献４や、非特許文献１０などに記載の通り、他の目的で作成されても良い。
【００６０】
例えば、ＲＲＣメッセージは、Ｄｕａｌ  Ｃｏｎｎｅｃｔｉｖｉｔｙ（ＤＣ）や、非特許文献８に記載のＭｕｌｔｉ−Ｒａｄｉｏ  Ｄｕａｌ  Ｃｏｎｎｅｃｔｉｖｉｔｙ（ＭＲ−ＤＣ）に関する設定に用いられても良い。
【００６１】
Ｄｕａｌ  Ｃｏｎｎｅｃｔｉｖｉｔｙ（ＤＣ）とは、２つの基地局装置（ノード）がそれぞれ構成するセルグループ、すなわちマスターノード（Ｍａｓｔｅｒ  Ｎｏｄｅ：ＭＮ）が構成するマスタセルグループ（Ｍａｓｔｅｒ  Ｃｅｌｌ  Ｇｒｏｕｐ：ＭＣＧ）及びセカンダリノード（Ｓｅｃｏｎｄｅｒｙ  Ｎｏｄｅ：ＳＮ）が構成するセカンダリセルグループ（Ｓｅｃｏｎｄｅｒｙ  Ｃｅｌｌ  Ｇｒｏｕｐ：ＳＣＧ）の両方の無線リソースを利用してデータ通信を行う技術であっても良い。また非特許文献８に記載のＭＲ−ＤＣとは、Ｅ−ＵＴＲＡとＮＲの両方のＲＡＴ（Ｒａｄｉｏ  Ａｃｃｅｓｓ  Ｔｅｃｈｎｏｌｏｇｙ）のセルをＲＡＴ毎にセルグループ化してＵＥに割り当て、ＭＣＧとＳＣＧの両方の無線リソースを利用してデータ通信を行う技術であっても良い。ＭＲ−ＤＣにおいて、マスターノードとは、ＭＲ−ＤＣに係る主なＲＲＣ機能、例えば、セカンダリノードの追加、ＲＢの確立、変更、及び解放、ＭＣＧの追加、変更、解放、ハンドオーバ等の機能、を持つ基地局であっても良く、セカンダリノードとは、一部のＲＲＣ機能、例えばＳＣＧの変更、及び解放等、を持つ基地局であっても良い。
【００６２】
非特許文献８に記載のＭＲ−ＤＣにおいて、マスターノード側のＲＡＴのＲＲＣが、ＭＣＧ及びＳＣＧ両方の設定を行うために用いられても良い。例えばコア網がＥＰＣ１０４で、マスターノードがｅＮＢ１０２（拡張型ｅＮＢ１０２とも称する）である場合のＭＲ−ＤＣである、ＥＮ−ＤＣ（Ｅ−ＵＴＲＡ−ＮＲ  Ｄｕａｌ  Ｃｏｎｎｅｃｔｉｖｉｔｙ）、コア網が５ＧＣ１１０で、マスターノードがｅＮＢ１０２である場合のＭＲ−ＤＣである、ＮＧＥＮ−ＤＣ（ＮＧ−ＲＡＮ  Ｅ−ＵＴＲＡ−ＮＲ  Ｄｕａｌ  Ｃｏｎｎｅｃｔｉｖｉｔｙ）において、非特許文献４に記載のＥ−ＵＴＲＡのＲＲＣメッセージがｅＮＢ１０２とＵＥ１２２との間で送受信されても良い。この場合ＲＲＣメッセージには、ＬＴＥ（Ｅ−ＵＴＲＡ）の設定情報だけでなく、非特許文献１０に記載の、ＮＲの設定情報が含まれても良い。またｅＮＢ１０２からＵＥ１２２に送信されるＲＲＣメッセージは、ｅＮＢ１０２からｇＮＢ１０８を経由してＵＥ１２２に送信されても良い。また、本ＲＲＣメッセージの構成は、非ＭＲ−ＤＣであって、ｅＮＢ１０２（拡張型ｅＮＢ）がコア網として５ＧＣを用いる、Ｅ−ＵＴＲＡ／５ＧＣ（非特許文献１７に記載のオプション５）に用いられても良い。
【００６３】
また逆に、非特許文献８に記載のＭＲ−ＤＣにおいて、コア網が５ＧＣ１１０で、マスターノードがｇＮＢ１０８である場合のＭＲ−ＤＣである、ＮＥ−ＤＣ（ＮＲ−Ｅ−ＵＴＲＡ  Ｄｕａｌ  Ｃｏｎｎｅｃｔｉｖｉｔｙ）において、非特許文献１０に記載のＮＲのＲＲＣメッセージがｇＮＢ１０２とＵＥ１２２との間で送受信されても良い。この場合ＲＲＣメッセージには、ＮＲの設定情報だけでなく、非特許文献４に記載の、ＬＴＥ（Ｅ−ＵＴＲＡ）の設定情報が含まれても良い。またｇＮＢ１０８からＵＥ１２２に送信されるＲＲＣメッセージは、ｇＮＢ１０８からｅＮＢ１０２を経由してＵＥ１２２に送信されても良い。
【００６４】
なお、ＭＲ−ＤＣを利用する場合に限らず、ｅＮＢ１０２からＵＥ１２２に送信されるＥ−ＵＴＲＡ用ＲＲＣメッセージに、ＮＲ用ＲＲＣメッセージが含まれていても良いし、ｇＮＢ１０８からＵＥ１２２に送信されるＮＲ用ＲＲＣメッセージに、Ｅ−ＵＴＲＡ用ＲＲＣメッセージが含まれていても良い。
【００６５】
また、マスターノードがｅＮＢ１０２でＥＰＣ１０４をコア網とするネットワーク構成をＥ−ＵＴＲＡ／ＥＰＣと呼んでも良い。またマスターノードがｅＮＢ１０２で５ＧＣ１１０をコア網とするネットワーク構成をＥ−ＵＴＲＡ／５ＧＣと呼んでも良い。またマスターノードがｇＮＢ１０８で５ＧＣ１１０をコア網とするネットワーク構成をＮＲ、又はＮＲ／５ＧＣと呼んでも良い。またこの呼び方はＤＣが設定される場合に限らなくても良い。ＤＣが設定されない場合において、上述のマスターノードとは、端末装置と通信を行う基地局装置の事を指しても良い。
【００６６】
図７は、図４において、ＮＲでのＲＲＣコネクションの再設定に関するメッセージに含まれる、無線ベアラ設定に関するフールド及び情報要素うちのいずれかまたは全部を表すＡＳＮ．１記述の一例である。また図８は、図４において、Ｅ−ＵＴＲＡでのＲＲＣコネクションの再設定に関するメッセージに含まれる、無線ベアラ設定に関するフールド及び情報要素うちのいずれかまたは全部を表すＡＳＮ．１記述の一例である。図７及び図８のＡＳＮ．１の例で、＜略＞及び＜中略＞とは、ＡＳＮ．１の表記の一部ではなく、他の情報を省略している事を示す。なお＜略＞又は＜中略＞という記載の無い所でも、情報要素が省略されていても良い。なお図７及び図８におけるＡＳＮ．１の例はＡＳＮ．１表記方法に正しく従ったものではなく、本発明におけるＲＲＣ再設定のパラメータの一例を表記したものであり、他の名称や他の表記が使われても良い。また図７及び図８におけるＡＳＮ．１の例は、説明が煩雑になることを避けるために、本発明と密接に関連する主な情報に関する例のみを示す。なお、ＡＳＮ．１で記述されるパラメータを、フィールド、情報要素等に区別せず、全て情報要素と言う場合がある。また本発明の実施の形態において、ＲＲＣメッセージに含まれる、ＡＳＮ．１で記述されるフィールド、情報要素等のパラメータを、情報と言う場合もある。
【００６７】
図７においてＲａｄｉｏＢｅａｒｅｒＣｏｎｆｉｇで表される情報要素は、ＳＲＢ、ＤＲＢ等の無線ベアラの設定に関する情報要素で、後述のＰＤＣＰ設定情報要素や、ＳＤＡＰ設定情報要素を含む。ＲａｄｉｏＢｅａｒｅｒＣｏｎｆｉｇで表される情報要素に含まれる、ＳＲＢＴｏＡｄｄＭｏｄで表される情報要素は、ＳＲＢ（シグナリング無線ベアラ）設定を示す情報であっても良く、ＳＲＢ設定情報要素、又はシグナリング無線ベアラ設定情報要素と言い換える事もある。またＳＲＢ−ＴｏＡｄｄＭｏｄＬｉｓｔで表される情報要素は、ＳＲＢ設定を示す情報のリストであっても良い。ＲａｄｉｏＢｅａｒｅｒＣｏｎｆｉｇで表される情報要素に含まれる、ＤＲＢＴｏＡｄｄＭｏｄで表される情報要素は、ＤＲＢ（データ無線ベアラ）設定を示す情報であっても良く、ＤＲＢ設定情報要素、又はデータ無線ベアラ設定情報要素と言い換える事もある。ＤＲＢ−ＴｏＡｄｄＭｏｄＬｉｓｔで表される情報要素は、ＤＲＢ設定を示す情報のリストであっても良い。なお、ＳＲＢ設定、及びＤＲＢ設定のうちの何れか、または全ての事を、無線ベアラ設定と言い換える事もある。
【００６８】
ＳＲＢ設定情報要素の中の、ＳＲＢ−Ｉｄｅｎｔｉｔｙで表される情報要素は、追加又は変更するＳＲＢのＳＲＢ識別子（ＳＲＢ  Ｉｄｅｎｔｉｔｙ）の情報であり、各端末装置においてＳＲＢを一意に識別する識別子であっても良い。ＳＲＢ識別子情報要素、または無線ベアラ識別子情報要素、またはシグナリング無線ベアラ識別子情報要素と言い換える事もある。
【００６９】
ＤＲＢ設定情報要素の中の、ＤＲＢ−Ｉｄｅｎｔｉｔｙで表される情報要素は、追加又は変更するＤＲＢのＤＲＢ識別子（ＤＲＢ  Ｉｄｅｎｔｉｔｙ）の情報であり、各端末装置においてＤＲＢを一意に識別する識別子であっても良い。ＤＲＢ識別子情報要素、または無線ベアラ識別子情報要素、またはデータ無線ベアラ識別子情報要素と言い換える事もある。ＤＲＢ識別子の値は図７の例では１から３２の整数値としているが、別の値を取っ
ても良い。ＤＣの場合、ＤＲＢ識別子は、ＵＥ１２２のスコープ内で固有である。
【００７０】
ＤＲＢ設定情報要素の中の、ｃｎＡｓｓｏｃｉａｔｉｏｎで表される情報要素は、コア網にＥＰＣ１０４を用いるか、又は５ＧＣ１１０を用いるかを示す情報要素であっても良く、コア網関連付け情報要素と言い換える事もある。即ち、ＵＥ１２２がＥＰＣと接続する際にはＤＲＢが、ｃｎＡｓｓｏｃｉａｔｉｏｎ中のＥＰＳベアラ識別子情報要素（ｅｐｓ−ＢｅａｒｅｒＩｄｅｎｔｉｔｙ）、又はＥＰＳベアラ識別子情報要素の値であるＥＰＳベアラ識別子（ＥＰＳ  ｂｅａｒｅｒ  ｉｄｅｎｔｉｔｙ）に関連付けられ、ＵＥ１２２が５ＧＣ１１０と接続する際には、ＤＲＢが、後述のＳＤＡＰ設定情報要素（ｓｄａｐ−Ｃｏｎｆｉｇ）に従って設定されるＳＤＡＰエンティティ、又はＳＤＡＰ設定情報要素に含まれる、後述のＰＤＵセッション情報要素、又はＰＤＵセッション情報要素の値であるＰＤＵセッション識別子、又はＰＤＵセッション情報要素が示すＰＤＵセッションに関連付けられるようにしてもよい。即ち、ｃｎＡｓｓｏｃｉａｔｉｏｎで表される情報には、ＥＮ−ＤＣを用いる場合等のコア網にＥＰＣ１０４を用いる場合にはＥＰＳベアラ識別子情報要素（ｅｐｓ−ＢｅａｒｅｒＩｄｅｎｔｉｔｙ）を含み、コア網５ＧＣ１１０を用いる場合は、即ちＥＮ−ＤＣを用いない場合等はＳＤＡＰ設定を示す情報要素（ｓｄａｐ−Ｃｏｎｆｉｇ）を含んでも良い。
【００７１】
ｓｄａｐ−Ｃｏｎｆｉｇで表される情報要素は、コア網が５ＧＣ１１０であった場合に、ＱｏＳフローとＤＲＢの対応（ｍａｐ）方法を決定する、ＳＤＡＰエンティティの設定又は再設定に関する情報であってもよく、ＳＤＡＰ設定情報要素と言い換える事もある。
【００７２】
ＳＤＡＰ設定情報要素に含まれる、ｐｄｕ−ｓｅｓｓｉｏｎ又はＰＤＵ−ＳｅｓｓｉｏｎＩＤで示されるフィールド又は情報要素は、本ＳＤＡＰ設定情報要素を含むＤＲＢ設定情報要素に含まれる、無線ベアラ識別子情報要素の値に対応する無線ベアラと対応（ｍａｐ）付けられるＱｏＳフローが所属する、非特許文献２に記載のＰＤＵセッションのＰＤＵセッション識別子でも良く、ＰＤＵセッション識別子情報要素と言い換える事もある。ＰＤＵセッション識別子情報要素の値は負でない整数であっても良い。また各端末装置において、一つのＰＤＵセッション識別子に、複数のＤＲＢ識別子が対応しても良い。
【００７３】
ＳＤＡＰ設定情報要素に含まれる、ｍａｐｐｅｄＱｏＳ−ＦｌｏｗｓＴｏＡｄｄで示される情報要素は、本ＳＤＡＰ設定情報要素を含むＤＲＢ設定情報要素に含まれる、無線ベアラ識別子情報要素の値に対応する無線ベアラに対応（ｍａｐ）させる、又は追加で対応（ｍａｐ）させる、ＱｏＳフローの、後述のＱｏＳフロー識別子（ＱＦＩ：ＱｏＳ  Ｆｌｏｗ  Ｉｄｅｎｔｉｔｙ）情報要素のリストを示す情報であっても良く、追加するＱｏＳフロー情報要素と言い換える事もある。上述のＱｏＳフローは本ＳＤＡＰ設定情報要素に含まれるＰＤＵセッション情報要素が示すＰＤＵセッションのＱｏＳフローであっても良い。
【００７４】
また、ＳＤＡＰ設定情報要素に含まれる、ｍａｐｐｅｄＱｏＳ−ＦｌｏｗｓＴｏＲｅｌｅａｓｅで示される情報要素は、本ＳＤＡＰ設定情報要素を含むＤＲＢ設定情報要素に含まれる、無線ベアラ識別子情報要素の値に対応する無線ベアラに対応（ｍａｐ）しているＱｏＳフローのうち、対応関係を解放するＱｏＳフローの、後述のＱｏＳフロー識別子（ＱＦＩ：ＱｏＳ  Ｆｌｏｗ  Ｉｄｅｎｔｉｔｙ）情報要素のリストを示す情報であっても良く、解放するＱｏＳフロー情報要素と言い換える事もある。上述のＱｏＳフローは本ＳＤＡＰ設定情報要素に含まれるＰＤＵセッション情報要素が示すＰＤＵセッションのＱｏＳフローであっても良い。
【００７５】
ＱＦＩで示される情報要素は、非特許文献２に記載の、ＱｏＳフローを一意に識別するＱｏＳフロー識別子であってもよく、ＱｏＳフロー識別子情報要素と言い換える事もある
。ＱｏＳフロー識別子情報要素の値は負でない整数であっても良い。またＱｏＳフロー識別子情報要素の値はＰＤＵセッションに対し一意であっても良い。
【００７６】
またＳＤＡＰ設定情報要素には、この他に、設定されるＤＲＢを介して送信するアップリンクデータにアップリンク用ＳＤＡＰヘッダが存在するか否かを示すアップリンクヘッダ情報情報要素、設定されるＤＲＢを介して受信するダウンリンクデータにダウンリンク用ＳＤＡＰヘッダが存在するか否か事を示すダウンリンクヘッダ情報要素、設定されるＤＲＢがデフォルト無線ベアラ（デフォルトＤＲＢ）であるか否かを示すデフォルトベアラ情報要素などが含まれても良い。
【００７７】
また、ＳＲＢ設定情報要素、及びＤＲＢ設定情報要素の中の、ｐｄｃｐ−Ｃｏｎｆｉｇ又はＰＤＣＰ−Ｃｏｎｆｉｇで表される情報要素はＳＲＢ用、及び／又はＤＲＢ用のＰＤＣＰ３０６の確立や変更を行うための、ＮＲ  ＰＤＣＰエンティティの設定に関する情報要素であっても良く、ＰＤＣＰ設定情報要素と言い換える事もある。ＮＲ  ＰＤＣＰエンティティの設定に関する情報要素には、アップリンク用シーケンス番号のサイズを示す情報要素、ダウンリンク用シーケンス番号のサイズを示す情報要素、ヘッダ圧縮（ＲｏＨＣ：ＲＯｂｕｓｔ  Ｈｅａｄｅｒ  Ｃｏｍｐｒｅｓｓｉｏｎ）のプロファイルを示す情報要素、リオーダリング（ｒｅ−ｏｒｄｅｒｉｎｇ）タイマー情報要素などが含まれても良い。
【００７８】
図８においてＲａｄｉｏＲｅｓｏｕｒｃｅＣｏｎｆｉｇＤｅｄｉｃａｔｅｄで表される情報要素は、無線ベアラの設定、変更、解放等に使われる情報要素であっても良い。ＲａｄｉｏＲｅｓｏｕｒｃｅＣｏｎｆｉｇＤｅｄｉｃａｔｅｄで表される情報要素に含まれる、ＳＲＢＴｏＡｄｄＭｏｄで表される情報要素は、ＳＲＢ（シグナリング無線ベアラ）設定を示す情報であっても良く、ＳＲＢ設定情報要素又はシグナリング無線ベアラ設定情報要素と言い換える事もある。ＳＲＢ−ＴｏＡｄｄＭｏｄＬｉｓｔで表される情報要素はＳＲＢ設定を示す情報のリストであっても良い。ＲａｄｉｏＲｅｓｏｕｒｃｅＣｏｎｆｉｇＤｅｄｉｃａｔｅｄで表される情報要素に含まれる、ＤＲＢＴｏＡｄｄＭｏｄで表される情報要素は、ＤＲＢ（データ無線ベアラ）設定を示す情報であっても良く、ＤＲＢ設定情報要素又はデータ無線ベアラ設定情報要素と言い換える事もある。ＤＲＢ−ＴｏＡｄｄＭｏｄＬｉｓｔで表される情報要素は、ＤＲＢ設定を示す情報のリストであっても良い。なお、ＳＲＢ設定、及びＤＲＢ設定のうちの何れか、または全ての事を、無線ベアラ設定と言い換える事もある。
【００７９】
ＳＲＢ設定情報要素の中の、ＳＲＢ−Ｉｄｅｎｔｉｔｙで表される情報要素は、追加又は変更するＳＲＢのＳＲＢ識別子（ＳＲＢ  Ｉｄｅｎｔｉｔｙ）の情報であり、各端末装置においてＳＲＢを一意に識別する識別子であっても良い。ＳＲＢ識別子情報要素、または無線ベアラ識別子情報要素、またはシグナリング無線ベアラ識別子情報要素と言い換える事もある。図８のＳＲＢ−Ｉｄｅｎｔｉｔｙで表される情報要素は、図７のＳＲＢ−Ｉｄｅｎｔｉｔｙで表される情報要素と、同一の役割をもつ情報要素であっても良い。
【００８０】
ＤＲＢ設定の中の、ＤＲＢ−Ｉｄｅｎｔｉｔｙで表される情報要素は、追加又は変更するＤＲＢのＤＲＢ識別子（ＤＲＢ  Ｉｄｅｎｔｉｔｙ）の情報であり、各端末装置においてＤＲＢを一意に識別するＤＲＢ識別子であっても良い。ＤＲＢ識別子情報要素、又は無線ベアラ識別子情報要素、またはデータ無線ベアラ識別子情報要素と言い換える事もある。ＤＲＢ識別子の値は、図８の例では１から３２の整数値としているが、別の値を取っても良い。図８のＤＲＢ−Ｉｄｅｎｔｉｔｙで表される情報要素は、図７のＤＲＢ−Ｉｄｅｎｔｉｔｙで表される情報要素と、同一の役割をもつ情報要素であっても良い。
【００８１】
ＤＲＢ設定情報要素の中の、ｅｐｓ−ＢｅａｒｅｒＩｄｅｎｔｉｔｙで表される情報要
素は、各端末装置においてＥＰＳベアラを一意に識別するＥＰＳベアラ識別子であっても良い。ｅｐｓ−ＢｅａｒｅｒＩｄｅｎｔｉｔｙで表される情報要素は、ＥＰＳベアラ識別子情報要素と呼ぶ事もある。ＥＰＳベアラ識別子の値は、図８の例では１から１５の整数値としているが、別の値を取っても良い。図８のｅｐｓ−ＢｅａｒｅｒＩｄｅｎｔｉｔｙで表される情報要素は、図７のｅｐｓ−ＢｅａｒｅｒＩｄｅｎｔｉｔｙで表される情報要素と、同一の役割をもつ情報要素であっても良い。またＥＰＳベアラ識別子と、ＤＲＢ識別子とは各端末装置において、一対一に対応しても良い。
【００８２】
またＳＲＢ設定情報要素、及びＤＲＢ設定情報要素の中の、ｐｄｃｐ−Ｃｏｎｆｉｇ又はＰＤＣＰ−Ｃｏｎｆｉｇで表される情報要素はＳＲＢ用、及び／又はＤＲＢ用のＰＤＣＰ２０６の確立や変更を行うための、Ｅ−ＵＴＲＡ  ＰＤＣＰエンティティの設定に関する情報要素であっても良く、ＰＤＣＰ設定情報要素と言い換える事もある。Ｅ−ＵＴＲＡ
ＰＤＣＰエンティティの設定に関する情報要素には、シーケンス番号のサイズを示す情報要素、ヘッダ圧縮（ＲｏＨＣ：ＲＯｂｕｓｔ  Ｈｅａｄｅｒ  Ｃｏｍｐｒｅｓｓｉｏｎ）のプロファイルを示す情報要素、リオーダリング（ｒｅ−ｏｒｄｅｒｉｎｇ）タイマー情報情報などが含まれても良い。
【００８３】
また図７又は図８に示す一部、又は全ての情報要素は、オプショナルであっても良い。即ち図７又は図８に示す情報要素は必要や条件に応じてＲＲＣコネクションの再設定に関するメッセージに含まれても良い。またＲＲＣコネクションの再設定に関するメッセージには、無線ベアラの設定に関する情報要素の他に、フル設定が適用される事を意味する情報要素が含まれても良い。フル設定が適用される事を意味する情報要素は、ｆｕｌｌＣｏｎｆｉｇなどの情報要素名で表されても良く、ｔｒｕｅ、ｅｎａｂｌｅなどを用いてフル設定が適用される事を示しても良い。
【００８４】
（実施の形態）
図１から図１１を用いて、本発明の実施の形態を説明する。本発明の実施の形態では、ハンドオーバ等により、ＵＥ１２２の接続先コア網がＥＰＣ１０４から５ＧＣ１１０に切り替わる際の処理、及びＵＥ１２２の接続先コア網が５ＧＣ１１０からＥＰＣ１０４に切り替わる際の処理、に関して、説明を行う。ＵＥ１２２の接続先コア網がＥＰＣ１０４から５ＧＣ１１０に切り替わるとは、ＵＥ１２２がｅＮＢ１０２を介してＥＰＣ１０４接続する状態から、ＵＥ１２２がｅＮＢ１０２を介して５ＧＣ１１０と接続する状態に切り替わる事であっても良い。またＵＥ１２２の接続先コア網がＥＰＣ１０４から５ＧＣ１１０に切り替わるとは、ＵＥ１２２がｅＮＢ１０２を介してＥＰＣ１０４接続する状態から、ＵＥ１２２がｇＮＢ１０８を介して５ＧＣ１１０と接続する状態に切り替わる場合であっても良い。またＵＥ１２２の接続先コア網が５ＧＣ１１０からＥＰＣ１０４に切り替わるとは、ＵＥ１２２がＵＥ１２２がｅＮＢ１０２を介して５ＧＣ１１０と接続する状態からｅＮＢ１０２を介してＥＰＣ１０４接続する状態に切り替わる事であっても良い。またＵＥ１２２の接続先コア網が５ＧＣ１１０からＥＰＣ１０４に切り替わるとは、ＵＥ１２２がＵＥ１２２がｇＮＢ１０８を介して５ＧＣ１１０と接続する状態から、ｅＮＢ１０２を介してＥＰＣ１０４接続する状態に切り替わる場合であっても良い。
【００８５】
なお、本発明の実施の形態において、端末装置の接続先のコア網の切り替えを伴うハンドオーバの事をインターシステム（ｉｎｔｅｒ  ｓｙｓｔｅｍ）ハンドオーバと呼ぶ事があり、端末装置の接続先のコア網の切り替えを伴わないハンドオーバの事をイントラシステム（ｉｎｔｒａ  ｓｙｓｔｅｍ）ハンドオーバと呼ぶ事がある。また本発明の実施の形態において、端末装置の接続先のＲＡＴの切り替えを伴うハンドオーバの事をインターＲＡＴ（ｉｎｔｅｒ  ＲＡＴ）ハンドオーバと呼ぶ事があり、端末装置の接続先のコア網の切り替えを伴わないハンドオーバの事をイントラＲＡＴ（ｉｎｔｒａ  ＲＡＴ）ハンドオーバと呼ぶ事がある。即ちＵＥ１２２の接続先基地局が、ｅＮＢからｇＮＢ、又はｇＮＢからｅＮＢに切り替わるハンドオーバの事をインターＲＡＴハンドオーバと呼ぶ事があり、ＵＥ１２２の接続先基地局が、ｅＮＢからｅＮＢ、又はｇＮＢからｇＮＢに切り替わるハンドオーバの事をイントラＲＡＴハンドオーバと呼ぶ事がある。
【００８６】
本発明の実施の形態においてハンドオーバは、端末装置が基地局装置から送られるＲＲＣコネクションの再設定に関するメッセージを受信した際、ＲＲＣコネクションの再設定に関するメッセージの中にハンドオーバに関する各種パラメータが含まれている事に事付いて行われても良い。またハンドオーバに関する各種パラメータとは、非特許文献４に記載のモビリティコントロールインフォ（ＭｏｂｉｌｉｔｙＣｏｎｔｒｏｌＩｎｆｏ）という名称の情報要素であっても良いし、非特許文献１０に記載のリコンフィギュレーションウィズシンク（ＲｅｃｏｎｆｉｇｕｒａｔｉｏｎＷｉｔｈＳｙｎｃ）という名称の情報要素であっても良いし、他の名称の情報要素であっても良い。
【００８７】
また本発明の実施の形態においてハンドオーバは、端末装置が基地局装置から、現在接続しているＲＡＴ（Ｅ−ＵＴＲＡ、又はＮＲ等）から第二のＲＡＴ（Ｅ−ＵＴＲＡ、又はＮＲ、又はＵＴＲＡ、又はＧＥＲＡＮ等）への移動である事を示すＲＲＣメッセージを受信した事に基づいて行われても良い。現在接続しているＲＡＴから第二のＲＡＴへの移動である事を示すＲＲＣメッセージとは、非特許文献４に記載のＭｏｂｉｌｉｔｙＦｒｏｍＥＵＴＲＡＣｏｍｍａｎｄという名称であっても良いし、非特許文献１０に記載ＭｏｂｉｌｉｔｙＦｒｏｍＮＲＣｏｍｍａｎｄという名称であっても良いし、他の名称であっても良い。また上述の現在接続しているＲＡＴから第二のＲＡＴへの移動である事を示すＲＲＣメッセージには、上述の第二のＲＡＴの設定に関するＲＲＣコネクションの再設定に関するメッセージが含まれていても良い。
【００８８】
図５は本発明の各実施の形態における端末装置（ＵＥ１２２）の構成を示すブロック図である。なお、説明が煩雑になることを避けるために、図５では、本発明と密接に関連する主な構成部のみを示す。
【００８９】
図５に示すＵＥ１２２は、基地局装置よりＲＲＣメッセージ等を受信する受信部５００、及び受信したメッセージに含まれる各種情報要素（ＩＥ：Ｉｎｆｏｒｍａｔｉｏｎ  Ｅｌｅｍｅｎｔ）、及び各種フィールド、及び各種条件等の内のいずれかまたは全ての設定情報に従って処理を行う処理部５０２から成る。上述の基地局装置とは、ｅＮＢ１０２である場合もあるし、ｇＮＢ１０８である場合もある。
【００９０】
図６は本発明の各実施の形態における基地局装置の構成を示すブロック図である。なお、説明が煩雑になることを避けるために、図６では、本発明と密接に関連する主な構成部のみを示す。上述の基地局装置とは、ｅＮＢ１０２である場合もあるし、ｇＮＢ１０８である場合もある。
【００９１】
図６に示す基地局装置は、ＵＥ１２２へＲＲＣメッセージ等を送信する送信部６００、及び各種情報要素（ＩＥ：Ｉｎｆｏｒｍａｔｉｏｎ  Ｅｌｅｍｅｎｔ）、及び各種フィールド、及び各種条件等の内のいずれかまたは全ての設定情報を含めたＲＲＣメッセージを作成し、ＵＥ１２２に送信する事により、ＵＥ１２２の処理部５０２に処理を行わせる処理部６０２から成る。
【００９２】
図９を用いて、本発明の実施の形態におけるＵＥ１２２の処理方法の一例を説明する。
【００９３】
基地局装置を介してＥＰＣ１０４に接続しているＵＥ１２２の受信部５００は、基地局装置の送信部６００から送信された、ＲＲＣコネクションの再設定に関するメッセージ、又はＲＲＣコネクションの再設定に関するメッセージを含むＲＲＣメッセージを受け取る
（ステップＳ９００）。
【００９４】
ＵＥ１２２の処理部５０２は、上述のＲＲＣコネクションの再設定に関するメッセージの中に、フル設定を適応する事を示す情報が含まれているか否かを確認する。含まれている場合には、ＲＲＣコネクションの再設定に関するメッセージの中に、フル設定を適応する事を示す情報が含まれている事に基づいて、フル設定における処理を行う（ステップＳ９０２）。
【００９５】
なお上述のＲＲＣコネクションの再設定に関するメッセージとは、非特許文献４に記載のＲＲＣコネクション再設定（ＲＲＣＣｏｎｎｅｃｔｉｏｎＲｅｃｏｎｆｉｇｕｒａｔｉｏｎ）という名称のメッセージであっても良いし、非特許文献１０に記載のＲＲＣ再設定（ＲＲＣＲｅｃｏｎｆｉｇｕｒａｔｉｏｎ）という名称のメッセージであっても良い。また上述のフル設定を適応する事を示す情報とは非特許文献４に記載のＦｕｌｌＣｏｎｆｉｇという名称の情報要素であっても良いし、非特許文献１０に記載のＦｕｌｌＣｏｎｆｉｇという名称の情報要素であっても良い。
【００９６】
ＵＥ１２２の処理部５０２は、フル設定における処理において、ＵＥ１２２がＥＮ−ＤＣを設定している場合には、ＵＥ１２２がＥＮ−ＤＣを設定している事に基づいて、設定されているＤＲＢに対するＤＲＢ識別子を解放しても良い。なお、上述の、設定されているＤＲＢとは、ＮＲ  ＰＤＣＰが設定されているＤＲＢであっても良い。上述のＥＮ−ＤＣを設定している場合とは、ＥＮ−ＤＣを設定していた場合と言い換えても良い。また、前述のＥＮ−ＤＣにはＳＣＧを設定している場合のみではなく、ＳＣＧを設定しないＥ−ＵＴＲＡ  ＭＣＧのみの設定で、かつ上述のＥ−ＵＴＲＡ  ＭＣＧの無線ベアラに、ＮＲ
ＰＤＣＰを使う場合を含んでも良い。なお、上述のＥ−ＵＴＲＡ  ＭＣＧの無線ベアラに、ＮＲ  ＰＤＣＰを使う場合とは、ＳＮ終端ベアラが設定されている場合、又はＳＮ終端ベアラが設定されていた場合であっても良い。また上述の、設定されているＤＲＢに対するＤＲＢ識別子を解放する際、ＮＲ  ＰＤＣＰが設定されている場合に、設定されているＤＲＢに対するＤＲＢ識別子を解放しても良い。また上述の、設定されているＤＲＢに対するＤＲＢ識別子を解放する際、ＰＤＣＰエンティティを解放しても良い（ステップＳ９０４）。
【００９７】
なおステップＳ９０４における、ＵＥ１２２がＥＮ−ＤＣを設定している事に基づく判断は、ＵＥ１２２がＥ−ＵＴＲＡ／ＥＰＣに接続しており、かつＵＥ１２２が設定している無線ベアラのうち全て又はいづれかにＮＲ  ＰＤＣＰが設定されている事に基づく判断であっても良い。またステップＳ９０４における、ＵＥ１２２がＥＮ−ＤＣを設定している事に基づく判断は、Ｅ−ＵＴＲＡ／ＥＰＣからのインターシステムハンドオーバであり、かつＵＥ１２２が設定している無線ベアラのうち全て、又はいづれかにＮＲ  ＰＤＣＰが設定されている事に基づく判断であっても良い。また上述のＵＥ１２２がＥ−ＵＴＲＡ／ＥＰＣに接続している事に基づく判断は、ＵＥ１２２が５ＧＣ１１０に接続していない事に基づく判断でも良い。またステップＳ９０４における、ＵＥ１２２がＥＮ−ＤＣを設定している事とは、ＵＥ１２２が、ステップＳ９０４においてフル設定における処理を行う際、又はステップＳ９００においてＲＲＣコネクションの再設定に関するメッセージ、又はＲＲＣコネクションの再設定に関するメッセージを含むＲＲＣメッセージを受け取る際に、ＥＰＣ１０４に接続しており、ＵＥ１２２が設定している無線ベアラのうち全て、又はいづれかにＮＲ  ＰＤＣＰが設定されている事意味する表現であれば、他の表現でも良い。
【００９８】
なおステップＳ９０４における、設定されているＤＲＢに対するＤＲＢ識別子の解放とは、ＲａｄｉｏＢｅａｒｅｒＣｏｎｆｉｇで表される情報要素による無線ベアラ設定の解放であっても良い。上述のＲａｄｉｏＢｅａｒｅｒＣｏｎｆｉｇで表される情報要素によ
る無線ベアラ設定には、無線ベアラ識別子、ＰＤＣＰ設定などが含まれても良い。また上述の無線ベアラ設定とは、ＳＲＢ設定及びＤＲＢ設定であっても良いし、ＳＲＢ設定又はＤＲＢ設定のどちらか一つであっても良い。
【００９９】
図１０を用いて、本発明の実施の形態におけるＵＥ１２２の処理方法の第二の一例を説明する。
【０１００】
基地局装置を介してＥＰＣ１０４に接続しているＵＥ１２２の受信部５００は、基地局装置の送信部６００から送信された、ＲＲＣコネクションの再設定に関するメッセージ、又はＲＲＣコネクションの再設定に関するメッセージを含むＲＲＣメッセージを受け取る（ステップＳ１０００）。
【０１０１】
ＵＥ１２２の処理部５０２は、上述のＲＲＣコネクションの再設定に関するメッセージの中に、フル設定を適応する事を示す情報が含まれているか否かを確認する。含まれている場合には、ＲＲＣコネクションの再設定に関するメッセージの中に、フル設定を適応する事を示す情報が含まれている事に基づいて、フル設定における処理を行う（ステップＳ１００２）。
【０１０２】
なお上述のＲＲＣコネクションの再設定に関するメッセージとは、非特許文献４に記載のＲＲＣコネクション再設定（ＲＲＣＣｏｎｎｅｃｔｉｏｎＲｅｃｏｎｆｉｇｕｒａｔｉｏｎ）という名称のメッセージであっても良いし、非特許文献１０に記載のＲＲＣ再設定（ＲＲＣＲｅｃｏｎｆｉｇｕｒａｔｉｏｎ）という名称のメッセージであっても良い。また上述のフル設定を適応する事を示す情報とは非特許文献４に記載のＦｕｌｌＣｏｎｆｉｇという名称の情報要素であっても良いし、非特許文献１０に記載のＦｕｌｌＣｏｎｆｉｇという名称の情報要素であっても良い。
【０１０３】
ＵＥ１２２の処理部５０２は、フル設定における処理において、上述のＲＲＣコネクションの再設定に関するメッセージに含まれる、ＳＲＢ設定情報要素に含まれるＳＲＢ識別子の値が、ＵＥ１２２に設定されていない場合には、上述のＳＲＢ識別子で識別されるＳＲＢに対するＰＤＣＰエンティティを確立しても良い。なお上述のＰＤＣＰエンティティとはＮＲ  ＰＤＣＰエンティティであっても良い（ステップＳ１００４）。
【０１０４】
なおステップＳ１００４において、上述のＲＲＣコネクションの再設定に関するメッセージに含まれる、ＳＲＢ設定情報要素に含まれるＳＲＢ識別子の値が、ＵＥ１２２に設定されている場合には、上述のＳＲＢ識別子で識別されるＳＲＢをデフォルト設定に従って再設定しても良い。上述のデフォルト設定とは、デフォルトのＰＤＣＰ設定を含んでも良いし、デフォルトのＲＬＣエンティティ設定を含んでも良いし、ロジカルチャネルの設定を含んでも良い。また、上述のＲＲＣコネクションの再設定に関するメッセージに含まれる、ＳＲＢ設定情報要素に含まれるＳＲＢ識別子の値が、ＵＥ１２２に設定されている場合には、上述のＳＲＢ識別子で識別されるＳＲＢをデフォルト設定に従って再設定する事に代え、上述のＲＲＣコネクションの再設定に関するメッセージに含まれる、セキュリティ設定に従って、ＰＤＣＰエンティティを確立、又は設定しても良い。上述のＲＲＣコネクションの再設定に関するメッセージに含まれる、セキュリティ設定に従って、ＰＤＣＰエンティティを確立、又は設定する処理は、ＵＥ１２２がＥ−ＵＴＲＡ／ＥＰＣに接続している事、又はＥ−ＵＴＲＡ／ＥＰＣに接続していた事、又はＥ−ＵＴＲＡ／ＥＰＣからのインターシステムハンドオーバである事に基づいて行われても良い。また上述の上述のＲＲＣコネクションの再設定に関するメッセージに含まれる、セキュリティ設定に従って、ＰＤＣＰエンティティを確立、又は設定する処理は、ＵＥ１２２がＥ−ＵＴＲＡ／ＥＰＣに接続している事、又はＥ−ＵＴＲＡ／ＥＰＣに接続していた事、又はＥ−ＵＴＲＡ／ＥＰＣからのインターシステムハンドオーバである事、かつＵＥ１２２が設定している無線ベアラのうち全て、又はいづれかにＮＲ  ＰＤＣＰが設定されている事に基づいて行われても良い。また上述の上述のＲＲＣコネクションの再設定に関するメッセージに含まれる、セキュリティ設定に従って、ＰＤＣＰエンティティを確立、又は設定する処理は、ＵＥ１２２がＥＮ−ＤＣを設定している事、又はＥＮ−ＤＣを設定していた事、又はＥＮ−ＤＣからのインターシステムハンドオーバである事に基づいて行われても良い。上述のＲＲＣコネクションの再設定に関するメッセージに含まれる、セキュリティ設定に従って、ＰＤＣＰエンティティを確立、又は設定する処理は、上述のＲＲＣコネクションの再設定に関するメッセージに、セキュリティ鍵の変更を指示する情報要素が含まれている場合に行われても良い。
【０１０５】
なおステップＳ１００４において、ＳＲＢ設定情報要素に含まれるＳＲＢ識別子の値が、ＵＥ１２２に設定されていない場合に、上述のＳＲＢ識別子で識別されるＳＲＢに対するＰＤＣＰエンティティを確立する処理は、フル設定における処理の終了後に行われても良い。また上述のＳＲＢ設定情報要素に含まれるＳＲＢ識別子の値が、ＵＥ１２２に設定されていない場合とは、ＵＥ１２２がＥ−ＵＴＲＡ／ＥＰＣに接続している場合と言い換えても良いし、Ｅ−ＵＴＲＡ／ＥＰＣからのインターシステムハンドオーバである場合と言い換えても良い。また上述のＳＲＢ設定情報要素に含まれるＳＲＢ識別子の値が、ＵＥ１２２に設定されていない場合とは、ＵＥ１２２が、ステップＳ１００４においてフル設定における処理を行う際、又はステップＳ１０００においてＲＲＣコネクションの再設定に関するメッセージ、又はＲＲＣコネクションの再設定に関するメッセージを含むＲＲＣメッセージを受け取る際に、ＥＰＣ１０４に接続している事意味する表現であれば、他の表現でも良い。また上述のＳＲＢ設定情報要素に含まれるＳＲＢ識別子の値が、ＵＥ１２２に設定されていない場合とは、ＳＲＢ設定情報要素に含まれるＳＲＢ識別子の値に対し、ＰＤＣＰエンティティが存在しない場合と言い換えても良い。なお上述のＰＤＣＰエンティティとはＮＲ  ＰＤＣＰエンティティであっても良い。
【０１０６】
また、ステップＳ１００４において、上述のＲＲＣコネクションの再設定に関するメッセージに含まれる、ＳＲＢ設定情報要素に含まれるＳＲＢ識別子の値が、ＵＥ１２２に設定されていない場合には、上述のＳＲＢ識別子で識別されるＳＲＢに対するＰＤＣＰエンティティを確立する事に代え、ＵＥ１２２の処理部５０２は、上述のＲＲＣコネクションの再設定に関するメッセージに含まれる、ＳＲＢ設定情報要素に含まれるＳＲＢ識別子で識別されるＳＲＢに対し、Ｅ−ＵＴＲＡ  ＰＤＣＰが設定されている場合には、上述のＥ−ＵＴＲＡ  ＰＤＣＰを解放し、ＮＲ  ＰＤＣＰを確立しても良い。なお、上述のＳＲＢ設定情報要素に含まれるＳＲＢ識別子で識別されるＳＲＢに対し、Ｅ−ＵＴＲＡ  ＰＤＣＰが設定されている場合には、上述のＥ−ＵＴＲＡ  ＰＤＣＰを解放し、ＮＲ  ＰＤＣＰを確立する処理は、フル設定における処理の終了後に行われても良い。また、なお、上述のＳＲＢ設定情報要素に含まれるＳＲＢ識別子で識別されるＳＲＢに対し、ＮＲ  ＰＤＣＰが設定されている場合には、デフォルト設定に従って上述のＮＲ  ＰＤＣＰを再設定しても良い。なお、上述のＳＲＢ設定情報要素に含まれるＳＲＢ識別子で識別されるＳＲＢに対し、ＮＲ  ＰＤＣＰが設定されている場合には、デフォルト設定に従って上述のＮＲ
ＰＤＣＰを再設定を行う事に代え、上述のＲＲＣコネクションの再設定に関するメッセージに含まれる、セキュリティ設定に従って、ＰＤＣＰエンティティを確立、又は設定しても良い。上述のＲＲＣコネクションの再設定に関するメッセージに含まれる、セキュリティ設定に従って、ＰＤＣＰエンティティを確立、又は設定する処理は、ＵＥ１２２がＥ−ＵＴＲＡ／ＥＰＣに接続している事、又はＥ−ＵＴＲＡ／ＥＰＣに接続していた事、又はＥ−ＵＴＲＡ／ＥＰＣからのインターシステムハンドオーバである事に基づいて行われても良い。また上述の上述のＲＲＣコネクションの再設定に関するメッセージに含まれる、セキュリティ設定に従って、ＰＤＣＰエンティティを確立、又は設定する処理は、ＵＥ１２２がＥ−ＵＴＲＡ／ＥＰＣに接続している事、又はＥ−ＵＴＲＡ／ＥＰＣに接続していた事、又はＥ−ＵＴＲＡ／ＥＰＣからのインターシステムハンドオーバである事、かつＵＥ１２２が設定している無線ベアラのうち全て、又はいづれかにＮＲ  ＰＤＣＰが設定されている事に基づいて行われても良い。また上述の上述のＲＲＣコネクションの再設定に関するメッセージに含まれる、セキュリティ設定に従って、ＰＤＣＰエンティティを確立、又は設定する処理は、ＵＥ１２２がＥＮ−ＤＣを設定している事、又はＥＮ−ＤＣを設定していた事、又はＥＮ−ＤＣからのインターシステムハンドオーバである事に基づいて行われても良い。上述のＲＲＣコネクションの再設定に関するメッセージに含まれる、セキュリティ設定に従って、ＰＤＣＰエンティティを確立、又は設定する処理は、上述のＲＲＣコネクションの再設定に関するメッセージに、セキュリティ鍵の変更を指示する情報要素が含まれている場合に行われても良い。
【０１０７】
またステップＳ１００４において、上述のＲＲＣコネクションの再設定に関するメッセージに含まれる、ＳＲＢ設定情報要素に含まれるＳＲＢ識別子で識別されるＳＲＢに対し、Ｅ−ＵＴＲＡ  ＰＤＣＰが設定されている場合には、上述のＥ−ＵＴＲＡ  ＰＤＣＰを解放し、ＮＲ  ＰＤＣＰを確立する処理は、ＵＥ１２２がＥ−ＵＴＲＡ／ＥＰＣに接続している事、又はＵＥ１２２がＥ−ＵＴＲＡ／ＥＰＣに接続していた事、又はＥ−ＵＴＲＡ／ＥＰＣからのインターシステムハンドオーバである事に基づいて行われても良い。
【０１０８】
また、ステップＳ１００４において、ＰＤＣＰエンティティを確立する際、ＲＲＣコネクションの再設定に関するメッセージに含まれるセキュリティに設定に関する情報要素に従って、セキュリティ設定を行っても良い。また上述のＲＲＣコネクションの再設定に関するメッセージに含まれるセキュリティに設定に関する情報要素に従って、セキュリティ設定を行う事に代え、現在のＭＣＧのセキュリティ設定を適応しても良い。また、ステップＳ１００４において、ＰＤＣＰエンティティを確立する際、ＳＲＢ設定情報要素に含まれるＰＤＣＰ設定に従ってＰＤＣＰエンティティを確立しでも良いし、デフォルトのＰＤＣＰ設定に従って、ＰＤＣＰエンティティを確立しても良い。
【０１０９】
図１１を用いて、本発明の実施の形態におけるＵＥ１２２の処理方法の第三の一例を説明する。
【０１１０】
基地局装置を介してＥＰＣ１０４に接続しているＵＥ１２２の受信部５００は、基地局装置の送信部６００から送信された、ＲＲＣコネクションの再設定に関するメッセージ、又はＲＲＣコネクションの再設定に関するメッセージを含むＲＲＣメッセージを受け取る（ステップＳ１１００）。
【０１１１】
ＵＥ１２２の処理部５０２は、上述のＲＲＣコネクションの再設定に関するメッセージの中に、フル設定を適応する事を示す情報が含まれているか否かを確認する。含まれている場合には、ＲＲＣコネクションの再設定に関するメッセージの中に、フル設定を適応する事を示す情報が含まれている事に基づいて、フル設定における処理を行う（ステップＳ１１０２）。
【０１１２】
なお上述のＲＲＣコネクションの再設定に関するメッセージとは、非特許文献４に記載のＲＲＣコネクション再設定（ＲＲＣＣｏｎｎｅｃｔｉｏｎＲｅｃｏｎｆｉｇｕｒａｔｉｏｎ）という名称のメッセージであっても良いし、非特許文献１０に記載のＲＲＣ再設定（ＲＲＣＲｅｃｏｎｆｉｇｕｒａｔｉｏｎ）という名称のメッセージであっても良い。また上述のフル設定を適応する事を示す情報とは非特許文献４に記載のＦｕｌｌＣｏｎｆｉｇという名称の情報要素であっても良いし、非特許文献１０に記載のＦｕｌｌＣｏｎｆｉｇという名称の情報要素であっても良い。
【０１１３】
ＵＥ１２２の処理部５０２は、フル設定における処理の最初の処理において、専用無線リソース設定の解放を行う際、５ＧＣに接続している無線ベアラの設定のうち、Ｒａｄｉ
ｏＢｅａｒｅｒＣｏｎｆｉｇで表される情報要素による設定を除外しても良い。なお上述のＲａｄｉｏＢｅａｒｅｒＣｏｎｆｉｇで表される情報要素による設定には、ＤＲＢ識別子、ＰＤＣＰ設定などが含まれても良い（ステップＳ１１０４）。
【０１１４】
なおステップＳ１１０４における、５ＧＣに接続している無線ベアラの設定のうち、ＲａｄｉｏＢｅａｒｅｒＣｏｎｆｉｇで表される情報要素による設定を除外する事に代え、ＰＤＵセッションに対応しているＤＲＢ設定のうち、ＲａｄｉｏＢｅａｒｅｒＣｏｎｆｉｇで表される情報要素による設定を除外しても良い。
【０１１５】
次にＵＥ１２２の処理部５０２は、フル設定における処理において、少なくともＳＲＢに関する設定を行った後、ＰＤＵセッションに関連するＤＲＢのＤＲＢ識別子の解放を行っても良い。なお、上述のＰＤＵセッションに関連するＤＲＢのＤＲＢ識別子を解放する処理は、ＵＥ１２２が５ＧＣに接続している場合に行っても良い。また、上述のＰＤＵセッションに関連するＤＲＢのＤＲＢ識別子を解放する際、上述のＰＤＵセッションに関連するＤＲＢのＰＤＣＰエンティティを解放しても良い（ステップＳ１１０６）。なお、上述の、ＰＤＵセッションに関連するＤＲＢのＤＲＢ識別子の解放を行う処理は、ＵＥ１２２が５ＧＣに接続している事に基づいて行われても良い。
【０１１６】
なお、ステップＳ１１０４において、ＵＥ１２２の処理部５０２は、フル設定における処理の最初の処理において、ＵＥ１２２がＥ−ＵＴＲＡ／ＥＰＣに接続している事、又はＵＥ１２２がＥ−ＵＴＲＡ／ＥＰＣに接続していた事、又はＥ−ＵＴＲＡ／ＥＰＣからのインターシステムハンドオーバである事に基づいて、Ｅ−ＵＴＲＡ／ＥＰＣに関連する全ての専用無線リソース設定の解放を行ってもよい。また、Ｅ−ＵＴＲＡ／ＥＰＣに関連する全ての専用無線リソース設定の解放を行う際、解放する無線リソース設定からＳＲＢのＰＤＣＰ設定を除外しても良い。また、Ｅ−ＵＴＲＡ／ＥＰＣに関連する全ての専用無線リソース設定の解放を行う際、解放する無線リソース設定からＭＣＧのＣ−ＲＮＴＩ（Ｃｅｌｌ  Ｒａｄｉｏ  Ｎｅｔｗｏｒｋ  Ｔｅｍｐｏｒａｒｙ  ＩＤ）を除外しても良い。また、Ｅ−ＵＴＲＡ／ＥＰＣに関連する全ての専用無線リソース設定の解放を行う際、解放する無線リソース設定からＭＣＧのセキュリティ設定を除外しても良い。
【０１１７】
なお、ステップＳ１１０４において、ＵＥ１２２の処理部５０２は、フル設定における処理の最初の処理において、ＵＥ１２２がＮＥ−ＤＣを設定している場合には、Ｅ−ＵＴＲＡ  ＳＣＧ設定を全て解放しても良い。なお、上述のＥ−ＵＴＲＡ  ＳＣＧ設定にには、ＤＲＢ設定のうち、ＲａｄｉｏＢｅａｒｅｒＣｏｎｆｉｇで表される情報要素による設定を除外しても良い。なお上述のＲａｄｉｏＢｅａｒｅｒＣｏｎｆｉｇで表される情報要素による設定には、ＤＲＢ識別子、ＰＤＣＰ設定などが含まれても良い。
【０１１８】
なお、本発明の実施の形態における、Ｅ−ＵＴＲＡ／ＥＰＣは、ＥＰＣと言いかえても良い。また本発明の実施の形態における５ＧＣは、ＮＲ／５ＧＣと言い換えても良いし、ＮＲと言い換えても良い。
【０１１９】
また、本発明の実施の形態において、ＵＥ１２２がＥＮ−ＤＣを設定している事、又はＥＮ−ＤＣを設定していた事、又はＥ−ＵＴＲＡ／ＥＰＣに接続している事、又はＵＥ１２２がＥ−ＵＴＲＡ／ＥＰＣに接続していた事、又はＥ−ＵＴＲＡ／ＥＰＣからのインターシステムハンドオーバである事とは、ＵＥ１２２が５ＧＣに接続している事に対する、「その他（ｅｌｓｅ）」であっても良い。また本発明の実施の形態において、ＥＮ−ＤＣを設定している事、又はＥＮ−ＤＣを設定していた事、ＵＥ１２２がＥ−ＵＴＲＡ／ＥＰＣに接続している事、又はＵＥ１２２がＥ−ＵＴＲＡ／ＥＰＣに接続していた事、又はＥ−ＵＴＲＡ／ＥＰＣからのインターシステムハンドオーバである事とは、ＵＥ１２２に設定されているＤＲＢがＥＰＳベアラ又はＥＰＳベアラ識別子に対応している事、と言い換えても良い。
【０１２０】
なお、本発明の実施の形態における、ＲＲＣコネクション再設定に関するメッセージを含むＲＲＣメッセージとは、Ｅ−ＵＴＲＡから第二のＲＡＴへの移動である事を示すメッセージであっても良く、非特許文献４に記載のＭｏｂｉｌｉｔｙＦｒｏｍＥＵＴＲＡＣｏｍｍａｎｄという名称のメッセージであっても良い。また本発明の実施の形態における、ＲＲＣコネクション再設定に関するメッセージを含むＲＲＣメッセージとは、ＮＲから第二のＲＡＴへの移動である事を示すメッセージであっても良く、非特許文献１０に記載ＭｏｂｉｌｉｔｙＦｒｏｍＮＲＣｏｍｍａｎｄという名称のメッセージであっても良い。
【０１２１】
なお、本発明の実施の形態における、ＤＲＢ設定情報要素とはＮＲのＤＲＢ設定情報要素であって、非特許文献１０に記載のｒａｄｉｏＢｅａｒｅｒＣｏｎｆｉｇという名称の情報要素に含まれていても良いし、Ｅ−ＵＴＲＡのＤＲＢ設定情報要素であって、非特許文献４に記載のｒａｄｉｏＲｅｓｏｕｒｃｅＣｏｎｆｉｇＤｅｄｉｃａｔｅｄという名称の情報要素に含まれていても良い。
【０１２２】
このように、本発明の実施の形態では、ＵＥ１２２のハンドオーバ元ＲＡＴ、ハンドオーバ先ＲＡＴ、ハンドオーバ元コア網、ハンドオーバ先コア網の種類に応じた処理を行う事ができる。即ち、端末装置は、プロトコル処理の複雑さを軽減し、効率的に通信を行うことができる。
【０１２３】
なお、本発明の各実施の形態における、端末装置、及び方法は、例えば以下のように言う事ができる。
【０１２４】
すなわち基地局装置と通信する端末装置であって、前記基地局装置からＲＲＣコネクションの再設定に関するメッセージを受信する受信部と、前記ＲＲＣコネクションの再設定に関するメッセージに、フル設定を適応する事を示す情報が含まれている事に基づいて、フル設定における処理を行い、前記フル設定における処理において、前記ＲＲＣコネクションの再設定に関するメッセージに含まれる、ＳＲＢ設定に含まれるＳＲＢ識別子に対応するＳＲＢに対し、ＮＲ  ＰＤＣＰエンティティが存在しない事に基づいて、ＮＲ  ＰＤＣＰエンティティを確立する処理部と、を有する。
【０１２５】
また本発明の一態様は、端末装置と通信する基地局装置であって、前記基地局装置からＲＲＣコネクションの再設定に関するメッセージを送信する受信部と、前記ＲＲＣコネクションの再設定に関するメッセージに、フル設定を適応する事を示す情報が含まれている事に基づいて、前記端末装置にフル設定における処理を行わせ、前記フル設定における処理において、前記ＲＲＣコネクションの再設定に関するメッセージに含まれる、ＳＲＢ設定に含まれるＳＲＢ識別子に対応するＳＲＢに対し、ＮＲ  ＰＤＣＰエンティティが存在しない事に基づいて、ＮＲ  ＰＤＣＰエンティティを確立させる処理部と、を有する。
【０１２６】
また本発明の一態様は、基地局装置と通信する端末装置の方法であって、前記基地局装置からＲＲＣコネクションの再設定に関するメッセージを受信し、前記ＲＲＣコネクションの再設定に関するメッセージに、フル設定を適応する事を示す情報が含まれている事に基づいて、フル設定における処理を行い、前記フル設定における処理において、前記ＲＲＣコネクションの再設定に関するメッセージに含まれる、ＳＲＢ設定に含まれるＳＲＢ識別子に対応するＳＲＢに対し、ＮＲ  ＰＤＣＰエンティティが存在しない事に基づいて、ＮＲ  ＰＤＣＰエンティティを確立する。
【０１２７】
また本発明の一態様は、端末装置と通信する基地局装置の方法であって、前記基地局装置からＲＲＣコネクションの再設定に関するメッセージを送信し、前記ＲＲＣコネクショ
ンの再設定に関するメッセージに、フル設定を適応する事を示す情報が含まれている事に基づいて、前記端末装置にフル設定における処理を行わせ、前記フル設定における処理において、前記ＲＲＣコネクションの再設定に関するメッセージに含まれる、ＳＲＢ設定に含まれるＳＲＢ識別子に対応するＳＲＢに対し、ＮＲ  ＰＤＣＰエンティティが存在しない事に基づいて、ＮＲ  ＰＤＣＰエンティティを確立させる。
【０１２８】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１２９】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【０１３０】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【０１３１】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１３２】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１３３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【符号の説明】
【０１３４】
１００  Ｅ−ＵＴＲＡ
１０２  ｅＮＢ
１０４  ＥＰＣ
１０６  ＮＲ
１０８  ｇＮＢ
１１０  ５ＧＣ
１１２、１１４、１１６，１１８、１２０、１２４  インタフェース
１２２  ＵＥ
２００、３００  ＰＨＹ
２０２、３０２  ＭＡＣ
２０４、３０４  ＲＬＣ
２０６、３０６  ＰＤＣＰ
２０８、３０８  ＲＲＣ
３１０  ＳＤＡＰ
２１０、３１２  ＮＡＳ
５００  受信部
５０２、６０２  処理部
６００  送信部
【図１】
2020156028.tif 000003
【図２】
2020156028.tif 000004
【図３】
2020156028.tif 000005
【図４】
2020156028.tif 000006
【図５】
2020156028.tif 000007
【図６】
2020156028.tif 000008
【図７】
2020156028.tif 000009
【図８】
2020156028.tif 000010
【図９】
2020156028.tif 000011
【図１０】
2020156028.tif 000012
【図１１】
2020156028.tif 000013